(57)【要約】  ＤＡＢの放送の受信性能を向上させることのできる技術を提供する。本発明の一側面に係る車両用の窓ガラスは、ガラス板と、前記ガラス板のいずれかの面に形成されるＤＡＢ用ガラスアンテナと、を備え、前記ＤＡＢ用ガラスアンテナは、前記ガラス板の下辺側に配置される給電部と、垂直方向に延びる線条の第１エレメントと、を有する。
2016190064.tif 000002
【特許請求の範囲】
【請求項１】
ガラス板と、
前記ガラス板のいずれかの面に形成されるＤＡＢ用ガラスアンテナと、
を備え、
前記ＤＡＢ用ガラスアンテナは、前記ガラス板の下辺側に配置される給電部と、垂直方向に延びる第１エレメントと、を有する、
車両用の窓ガラス。
【請求項２】
前記第１エレメントは、前記給電部から垂直方向上方に延びる、
請求項１に記載の車両用の窓ガラス。
【請求項３】
対向する一対のバスバー部と、水平方向にそれぞれ延び、垂直方向に並べられる複数の熱線部であって、その両端部がそれぞれ前記一対のバスバー部それぞれに連結する複数の熱線部と、を有するデフォッガを更に備え、
前記デフォッガは、前記ＤＡＢ用ガラスアンテナの上方に配置され、
前記ＤＡＢ用ガラスアンテナは、水平方向に延び、前記第１エレメントと連結する第２エレメントを更に有する、
請求項１又は２に記載の車両用の窓ガラス。
【請求項４】
前記デフォッガは、前記複数の熱線部それぞれに交差するように垂直方向に延びる１又は複数の垂直線条部を更に有する、
請求項３に記載の車両用の窓ガラス。
【請求項５】
前記１又は複数の垂直線条部は、ＤＡＢの周波数帯の電波により前記デフォッガに定常波が発生しないように配置されている、
請求項４に記載の車両用の窓ガラス。
【請求項６】
前記デフォッガは、前記ＤＡＢ用ガラスアンテナの上端から垂直方向上方に４６ｍｍ以上離れるように配設される、
請求項３から５のいずれか１項に記載の車両用の窓ガラス。
【請求項７】
前記ＤＡＢ用ガラスアンテナの前記第１エレメントは、垂直方向の長さが２０ｍｍ以上である、
請求項１から６のいずれか１項に記載の車両用の窓ガラス。
【請求項８】
前記車両用の窓ガラスは、水平方向から当該窓ガラスに平行光を当て、それにより生じた当該窓ガラスの投影面積が０．５ｍｍ2となり、水平方向を基準としたときの当該窓ガラスの取付角度が４５度以上７５度以下となるように車両の窓枠に取り付けられる、
請求項１から７のいずれか１項に記載の車両用の窓ガラス。
【請求項９】
車両用の窓ガラスとして用いられるガラス板のいずれかの面に形成されるＤＡＢ用ガラスアンテナであって、
前記ガラス板の下辺側に配置される給電部と、
垂直方向に延びる線条の第１エレメントと、
を備える、
ＤＡＢ用ガラスアンテナ。
【発明の詳細な説明】
【技術分野】
【０００１】
本発明は、車両用の窓ガラス及びＤＡＢ用ガラスアンテナに関する。
【背景技術】
【０００２】
自動車に取り付けられる車両用の窓ガラス（特に、リアガラス）の表面には、結露又は氷結を除去するためのデフォッガ、所定の電波を受信するためのアンテナ等が設けられることがある。例えば、特許文献１では、ＤＡＢ（Digital Audio Broadcasting。以下、「ＤＡＢ」と称する）の放送を受信するためのガラスアンテナをデフォッガと共に設けた車両用の窓ガラスが提案されている。
【先行技術文献】
【特許文献】
【０００３】
【特許文献１】再公表特許２０１２／１５３６６４号
【発明の概要】
【発明が解決しようとする課題】
【０００４】
従来、ガラスアンテナの受信性能を向上させる技術の開発が進められている。【０００５】
特に、垂直偏波であるＤＡＢの放送を高感度で受信するためには、垂直方向にある程度の長さを有するガラスアンテナを設けることになる。一方、ガラスアンテナと共にデフォッガを設ける場合には、デフォッガの占める範囲の分だけ、ガラスアンテナを配置可能な範囲が狭くなる。そのため、ガラスアンテナを配設可能な垂直方向の長さが制限されてしまい、垂直偏波であるＤＡＢの放送を高感度で受信可能なガラスアンテナを設けるのは困難であった。【０００６】
更に、ハッチバックタイプの車のようにリアガラスの取付角度が垂直に近い又は比較的に大きい車種では、リアガラスのガラス面積が比較的に狭い。そのため、このリアガラスにデフォッガとガラスアンテナとを設ける場合には、ガラスアンテナを配置可能な範囲が非常に限られてしまい、ＤＡＢの放送を高感度で受信可能なガラスアンテナを設けるのは困難であった。【０００７】
本発明は、一側面では、このような実情を鑑みてなされたものであり、その目的は、ＤＡＢの放送の受信性能を向上させることのできる技術を提供することである。
【課題を解決するための手段】
【０００８】
本発明は、上述した課題を解決するために、以下の構成を採用する。【０００９】
すなわち、本発明の一側面に係る車両用の窓ガラスは、ガラス板と、前記ガラス板のいずれかの面に形成されるＤＡＢ用ガラスアンテナと、を備え、前記ＤＡＢ用ガラスアンテナは、前記ガラス板の下辺側に配置される給電部と、垂直方向に延びる第１エレメントと、を有する。【００１０】
一般的に、低所に設置するよりも高所に設置した方がアンテナは障害物の影響を受け難いため、アンテナの設置場所は高所の方が有利だと言われている。そのため、従来、ＤＡＢ用ガラスアンテナは窓ガラスの上辺側に配置されていた。これに対して、本件発明者らは、鋭意努力の結果、ＤＡＢ用ガラスアンテナを窓ガラスの下辺側に配置した方がガラス板の上辺側に配置するよりも、当該ＤＡＢ用ガラスアンテナの感度がよくなることを見出した。そこで、当該構成では、ＤＡＢ用ガラスアンテナの給電部をガラス板の下辺側に配置することで、当該ＤＡＢ用ガラスアンテナは窓ガラスの下辺側に配置される。したがって、当該構成によれば、ＤＡＢ用ガラスアンテナを窓ガラスの下辺側に配置することで、ＤＡＢの放送の受信性能を向上させることができる。【００１１】
加えて、給電部と受信器との間にアンプを設ける場合、このアンプは、窓ガラスの下辺側に配置されるのが一般的である。そのため、給電部を窓ガラスの上辺側に配置すると、給電部からアンプに延びる配線のために車体のフレームを部分的に切り欠く必要が出てくる可能性があり、車体のフレームを部分的に切り欠いた場合には、車体の強度を低下させてしまう。これに対して、上記構成によれば、給電部を窓ガラスの下辺側に配置するため、上記のような可能性を排除することができる。また、アンプと給電部との距離が短くすることができ、ＤＡＢ用ガラスアンテナの受信性能を高めることができる。【００１２】
また、上記一側面に係る窓ガラスの別の形態として、上記第１エレメントは、上記給電部から垂直方向上方に延びてもよい。当該構成によれば、第１エレメントが給電部にダイレクトに接続されるため、ＤＡＢ用ガラスアンテナ全体の寸法をコンパクトにすることができる。【００１３】
また、上記一側面に係る窓ガラスの別の形態として、上記窓ガラスは、対向する一対のバスバー部と、水平方向にそれぞれ延び、垂直方向に並べられる複数の熱線部であって、その両端部がそれぞれ前記一対のバスバー部それぞれに連結する複数の熱線部と、を有するデフォッガを更に備えてもよい。そして、前記デフォッガは、前記ＤＡＢ用ガラスアンテナの上方に配置されてもよく、前記ＤＡＢ用ガラスアンテナは、水平方向に延び、前記第１エレメントと連結する第２エレメントを更に有してもよい。当該構成によれば、デフォッガが設けられるため、ガラス板の面において、ＤＡＢ用ガラスアンテナを設置可能な範囲が制限される。そこで、当該構成では、ＤＡＢ用ガラスアンテナに水平方向に延びる第２エレメントを設けることで、ＤＡＢの放送の受信性能を保ちつつ、当該ＤＡＢ用ガラスアンテナの垂直方向の長さを抑えることができる。したがって、当該構成によれば、デフォッガを設けた窓ガラスにおいて、受信性能の担保されたＤＡＢ用ガラスアンテナを設けることができる。【００１４】
また、上記一側面に係る窓ガラスの別の形態として、前記デフォッガは、前記複数の熱線部それぞれに交差するように垂直方向に延びる１又は複数の垂直線条部を更に有してもよい。本件発明者らは、デフォッガに垂直線条部を設けることで、ＤＡＢ用ガラスアンテナの感度がよくなることを見出した。したがって、当該構成によれば、デフォッガに１又は複数の垂直線条部を設けることで、ＤＡＢの放送の受信性能を向上させることができる。【００１５】
また、上記一側面に係る窓ガラスの別の形態として、ＤＡＢの周波数帯の電波により前記デフォッガに定常波が発生しないように配置されてよい。本件発明者らは、垂直線条部の配置によっては、ＤＡＢの周波数帯の電波によりデフォッガに当該電波の定常波が発生し、ＤＡＢ用ガラスアンテナの感度が低下することを見出した。したがって、当該構成によれば、ＤＡＢ用ガラスアンテナの感度が低下することを防止し、ＤＡＢの放送の受信性能を向上させることができる。【００１６】
また、上記一側面に係る窓ガラスの別の形態として、前記デフォッガは、前記ＤＡＢ用ガラスアンテナの上端から垂直方向上方に４６ｍｍ以上離れるように配設されてもよい。本件発明者らは、ＤＡＢ用ガラスアンテナをデフォッガ（特に、垂直線条部がない場合）から４６ｍｍ未満の範囲に近付けると、デフォッガが干渉することによって当該ＤＡＢ用ガラスアンテナの感度が低くなることを見出した。そこで、当該構成では、前記ＤＡＢ用ガラスアンテナの上端から垂直方向上方に４６ｍｍ以上離れるようにデフォッガを配設することで、ＤＡＢ用ガラスアンテナは、デフォッガから４６ｍｍ以上離される。したがって、当該構成によれば、ＤＡＢ用ガラスアンテナをデフォッガから４６ｍｍ以上離すことで、ＤＡＢの放送の受信性能を向上させることができる。【００１７】
また、上記一側面に係る窓ガラスの別の形態として、前記ＤＡＢ用ガラスアンテナの前記第１エレメントは、垂直方向の長さが２０ｍｍ以上であってもよい。一般的には、垂直偏波であるＤＡＢの放送を受信するためには、垂直方向の長さの長いアンテナを用いるのが望ましい。ただし、デフォッガを設ける等、ガラスアンテナを設ける範囲が制限される場合があり、このような場合には、ＤＡＢ用ガラスアンテナの垂直方向の長さを所望の長さに形成できない可能性がある。これに対して、本件発明者らは、ＤＡＢ用ガラスアンテナの垂直方向の長さを２０ｍｍ以上であれば、ＤＡＢの放送の受信性能を保つことができることを見出した。したがって、当該構成によれば、ＤＡＢ用ガラスアンテナの垂直方向の長さを短くしつつ、ＤＡＢの放送の受信性能を保つことができる。【００１８】
また、上記一側面に係る窓ガラスの別の形態として、前記車両用の窓ガラスは、水平方向から当該窓ガラスに平行光を当て、それにより生じた当該窓ガラスの投影面積が０．５ｍｍ2となり、水平方向を基準としたときの当該窓ガラスの取付角度が４５度以上７５度以下となるように車両の窓枠に取り付けられてよい。このような取付面積の狭い窓では、ＤＡＢ用ガラスアンテナの設置可能な範囲が制限される。特に、デフォッガと共にＤＡＢ用ガラスアンテナを設ける場合には、ＤＡＢ用ガラスアンテナの設置可能な範囲は制限される。しかしながら、本発明によれば、ＤＡＢ用ガラスアンテナの感度を高めることができるため、このような取付面積の狭い窓においても設置可能である。つまり、本発明は、このような取付面積の狭い窓で特に効果を発揮する。なお、このような取付面積及び取付角度を有する窓ガラスは、例えば、ハッチバックタイプの自動車のリアガラスである。ここで、リアガラスは、一般的に湾曲している。窓ガラスが湾曲している場合には、窓ガラスの各点では取付角度が変動する。上記構成では、この湾曲している窓ガラスは、水平方向を０度としたときに、当該窓ガラスの任意の点で取付角度が４５度以上７５度以下となるように取り付けられる。【００１９】
また、本発明の一側面に係るＤＡＢ用ガラスアンテナは、車両用の窓ガラスとして用いられるガラス板のいずれかの面に形成されるＤＡＢ用ガラスアンテナであって、前記ガラス板の下辺側に配置される給電部と、垂直方向に延びる線条の第１エレメントと、を備える。上記の通り、当該構成によれば、ＤＡＢの放送の受信性能を向上させることができる。
【発明の効果】
【００２０】
本発明によれば、ＤＡＢの放送の受信性能を向上させることができる。
【図面の簡単な説明】
【００２１】
【図１】図１は、実施の形態に係る窓ガラスを模式的に例示する。
【図２】図２は、実施の形態に係る窓ガラスの使用例を模式的に示す。
【図３Ａ】図３Ａは、他の形態に係る窓ガラスを模式的に例示する。
【図３Ｂ】図３Ｂは、他の形態に係る窓ガラスを模式的に例示する。
【図３Ｃ】図３Ｃは、他の形態に係る窓ガラスを模式的に例示する。
【図３Ｄ】図３Ｄは、他の形態に係る窓ガラスを模式的に例示する。
【図４】図４は、他の形態に係る窓ガラスを模式的に例示する。
【図５Ａ】図５Ａは、ＤＡＢ用ガラスアンテナをガラス板の下辺部側に設けた実施例を模式的に例示する。
【図５Ｂ】図５Ｂは、ＤＡＢ用ガラスアンテナをガラス板の上辺部側に設けた比較例を模式的に例示する。
【図６Ａ】図６Ａは、ＤＡＢのバンド３の各周波数に対する各実施例の感度（利得）の測定結果を示す。
【図６Ｂ】図６Ｂは、ＤＡＢのバンド３の帯域における各実施例の感度（利得）の平均値を示す。
【図７Ａ】図７Ａは、ＤＡＢのバンド３の各周波数に対する各比較例の感度（利得）の測定結果を示す。
【図７Ｂ】図７Ｂは、ＤＡＢのバンド３の帯域における各比較例の感度（利得）の平均値を示す。
【図８】図８は、ガラス板の下辺部側にＬ字型のＤＡＢ用ガラスアンテナを設けた実施例を模式的に例示する。
【図９Ａ】図９Ａは、ＤＡＢのバンド３の各周波数に対する各実施例の感度（利得）の測定結果を示す。
【図９Ｂ】図９Ｂは、ＤＡＢのバンド３の帯域における各実施例の感度（利得）の平均値を示す。
【図１０】図１０は、下辺部側にＬ字型のＤＡＢ用ガラスアンテナを設けたガラス板にデフォッガを設けた実施例を模式的に例示する。
【図１１Ａ】図１１Ａは、ＤＡＢのバンド３の各周波数に対する各実施例の感度（利得）の測定結果を示す。
【図１１Ｂ】図１１Ｂは、ＤＡＢのバンド３の帯域における各実施例の感度（利得）の平均値を示す。
【図１２】図１２は、デフォッガに垂直線条部を設けた実施例を模式的に例示する。
【図１３Ａ】図１３Ａは、ＤＡＢのバンド３の各周波数に対する各実施例の感度（利得）の測定結果を示す。
【図１３Ｂ】図１３Ｂは、ＤＡＢのバンド３の帯域における各実施例の感度（利得）の平均値を示す。
【図１４】図１４は、５本の垂直線条部を有するデフォッガを設けたガラス板の下辺部側に垂直エレメント及び水平エレメントの長さをそれぞれ調節したＤＡＢ用ガラスアンテナを設けた実施例を模式的に例示する。
【図１５Ａ】図１５Ａは、ＤＡＢのバンド３の各周波数に対する各実施例の感度（利得）の測定結果を示す。
【図１５Ｂ】図１５Ｂは、ＤＡＢのバンド３の帯域における各実施例の感度（利得）の平均値を示す。
【図１６】図１６は、ガラス板の上辺部側にＬ字型のＤＡＢ用ガラスアンテナを設けた参考例を模式的に例示する。
【図１７Ａ】図１７Ａは、ＤＡＢのバンド３の各周波数に対する各参考例の感度（利得）の測定結果を示す。
【図１７Ｂ】図１７Ｂは、ＤＡＢのバンド３の帯域における各参考例の感度（利得）の平均値を示す。
【図１８】図１８は、上辺部側にＬ字型のＤＡＢ用ガラスアンテナを設けたガラス板にデフォッガを設けた実施例を模式的に例示する。
【図１９Ａ】図１９Ａは、ＤＡＢのバンド３の各周波数に対する各参考例の感度（利得）の測定結果を示す。
【図１９Ｂ】図１９Ｂは、ＤＡＢのバンド３の帯域における各参考例の感度（利得）の平均値を示す。
【図２０】図２０は、デフォッガに垂直線条部を設けた参考例を模式的に例示する。
【図２１Ａ】図２１Ａは、ＤＡＢのバンド３の各周波数に対する各参考例の感度（利得）の測定結果を示す。
【図２１Ｂ】図２１Ｂは、ＤＡＢのバンド３の帯域における各参考例の感度（利得）の平均値を示す。
【図２２】図２２は、デフォッガに垂直線条部を設けた参考例を模式的に例示する。
【図２３Ａ】図２３Ａは、１本の垂直線条部を設けた参考例における１７０ＭＨｚの電波を受信した際の電流分布のシミュレーション結果を示す。
【図２３Ｂ】図２３Ｂは、１本の垂直線条部を設けた参考例における２４０ＭＨｚの電波を受信した際の電流分布のシミュレーション結果を示す。
【図２４Ａ】図２４Ａは、３本の垂直線条部を設けた参考例における１７０ＭＨｚの電波を受信した際の電流分布のシミュレーション結果を示す。
【図２４Ｂ】図２４Ｂは、３本の垂直線条部を設けた参考例における２４０ＭＨｚの電波を受信した際の電流分布のシミュレーション結果を示す。
【図２５】図２５は、ＤＡＢのバンド３の各周波数に対する各参考例の感度（利得）のシミュレーション結果を示す。
【図２６】図２６は、側辺寄りに給電部を設けた実施例を模式的に例示する。
【図２７】図２７は、ＤＡＢのバンド３の各周波数に対する各実施例の感度（利得）の測定結果を示す。
【発明を実施するための形態】
【００２２】
以下、本発明の一側面に係る実施の形態（以下、「本実施形態」とも表記する）を、図面に基づいて説明する。ただし、以下で説明する本実施形態は、あらゆる点において本発明の例示に過ぎない。本発明の範囲を逸脱することなく種々の改良や変形を行うことができることは言うまでもない。つまり、本発明の実施にあたって、実施形態に応じた具体的構成が適宜採用されてもよい。
【００２３】
§１  構成例
＜窓ガラス＞
まず、図１を用いて、本実施形態に係る窓ガラス１について説明する。図１は、本実施形態に係る窓ガラス１を模式的に例示する平面図である。なお、図１は、車内側から見た窓ガラス１を模式的に例示する。すなわち、図１の紙面奥側が車外側であり、図１の紙面手前側が車内側である。以下、説明の便宜のため、図１の上下方向を「上下」と、図１の右方向を「左」と、図１の左方向を「右」と称することとする。なお、図１の左右方向は本発明の「水平方向」に相当し、図１の上下方向は本発明の「垂直方向」に相当する。ここで、垂直方向は、例えば、窓ガラス１を車体に取り付けたときの地面に対して垂直な方向を指す。また、水平方向は、例えば、窓ガラス１を車体に取り付けたときの地面に対して平行な方向を指す。なお、面が傾いている場合には、垂直方向及び水平方向は、それぞれの方向の成分を有するおよその方向を含む。
【００２４】
本実施形態に係る窓ガラス１は、自動車に取り付けられる車両用の窓ガラスであって、具体的には自動車のリアガラスである。ただし、本発明の窓ガラスの種類は、リアガラスに限定される訳ではなく、実施の形態に応じて適宜選択可能である。図１に例示されるように、本実施形態に係る窓ガラス１は略台形状のガラス板２を備えており、自動車の後部に設けられる窓枠に取り付けられる。
【００２５】
そして、図１に例示されるように、このガラス板２の下辺側には、ＤＡＢの放送を受信するためのＤＡＢ用ガラスアンテナ４が設けられており、このＤＡＢ用ガラスアンテナ４の上方には、所定のパターンを有する防曇用のデフォッガ３が設けられている。このデフォッガ３及びＤＡＢ用ガラスアンテナ４は、ガラス板２の車内側の面及び車外側の面のいずれに設けられてもよい。以下、これらの各構成要素について説明する。
【００２６】
＜ガラス板＞
まず、ガラス板２について説明する。図１に例示されるように、本実施形態に係るガラス板２は、左右方向に延びる上辺部２１と、この上辺部２１に下方側で対向する下辺部２２と、上辺部２１及び下辺部２２の左端部同士を連結する左側辺部２３と、上辺部２１及び下辺部２２の右端部同士を連結する右側辺部２４と、を有している。
【００２７】
本実施形態に係るガラス板２は、自動車の窓ガラスとして利用され、取り付けられる自動車の窓枠に応じた形状に構成される。ガラス板２の取り付けられる自動車のタイプは、実施の形態に応じて適宜選択されてもよく、例えば、ハッチバックタイプであってもよい。例えば、ガラス板２は、ハッチバックタイプの自動車のリアガラスとして利用されてよい。また、ガラス板２は、湾曲した形状に形成されてもよい。例えば、ガラス板２は、車内側の面が凹となり、車外側の面が凸となるように、周縁部から中央部にかけて湾曲した形状に形成されてもよい。
【００２８】
このようなガラス板２は、実施の形態に応じて、種々の構成が可能である。また、このガラス板２には、自動車用の公知のガラス板を利用することができる。例えば、ガラス板２には、熱線吸収ガラス、一般的なクリアガラス若しくはグリーンガラス、又はＵＶグリーンガラスが利用されてもよい。ただし、このようなガラス板２は、日射吸収率、可視光線透過率などが安全規格を満たすように調整することができる。以下に、クリアガラスの組成の一例と、熱線吸収ガラス組成の一例を示す。
【００２９】
（クリアガラス）
ＳｉＯ2:７０〜７３質量％
Ａｌ2Ｏ3：０．６〜２．４質量％
ＣａＯ：７〜１２質量％
ＭｇＯ：１．０〜４．５質量％
Ｒ2Ｏ：１３〜１５質量％（Ｒはアルカリ金属）
Ｆｅ2Ｏ3に換算した全酸化鉄（Ｔ−Ｆｅ2Ｏ3）：０．０８〜０．１４質量％
【００３０】
（熱線吸収ガラス）
熱線吸収ガラスの組成は、例えば、クリアガラスの組成を基準として、Ｆｅ2Ｏ3に換算した全酸化鉄（Ｔ−Ｆｅ2Ｏ3）の比率を０．４〜１．３質量％とし、ＣｅＯ2の比率を０〜２質量％とし、ＴｉＯ2の比率を０〜０．５質量％とし、ガラスの骨格成分（主に、ＳｉＯ2やＡｌ2Ｏ3）をＴ−Ｆｅ2Ｏ3、ＣｅＯ2およびＴｉＯ2の増加分だけ減じた組成とすることができる。
【００３１】
なお、ガラス板２の種類は、クリアガラス、熱線吸収ガラス等に限られず、実施の形態に応じて適宜選択可能である。例えば、ガラス板２は、アクリル系、ポリカーボネート系等の樹脂窓であってもよい。
【００３２】
＜デフォッガ＞
次に、防曇用のデフォッガ３について説明する。図１に例示されるように、本実施形態に係るデフォッガ３は、後述するＤＡＢ用ガラスアンテナ４の上方に配置されるようガラス板２の上辺部２１側に設けられ、窓ガラス１の結露及び氷結を除去するために所定のパターンを有している。
【００３３】
具体的には、デフォッガ３は、左右方向に対向する一対のバスバー部３１と、左右方向にそれぞれ延び、上下方向に並べられる複数（図１では６本）の熱線部３２と、を備えている。各熱線部３２の両端部はそれぞれ各バスバー部３１に連結している。そして、各バスバー部３１には、所定の接続端子を取り付けるための接続部３４が設けられている。
【００３４】
この接続部３４には所定の接続端子が半田付け等により取り付けられ、自動車の電源からの配線（不図示）が接続端子を介してバスバー部３１に連結される。そのため、自動車の運転手は、操作パネル（不図示）を操作することによって、デフォッガ３に電気を供給することができる。
【００３５】
デフォッガ３に電気が供給されると、バスバー部３１を介して各熱線部３２に電流が生じる。そうすると、流れる電気のエネルギーによって各熱線部３２は加熱され、この各熱線部３２の形成された部分でガラス板２が温められる。これによって、ガラス板２の面についた結露及び氷結を除去することができる。
【００３６】
また、本実施形態に係るデフォッガ３には、各熱線部３２に交差するように上下方向にそれぞれ延びる複数（図１では５本）の垂直線条部３３が設けられる。デフォッガ３は、導電性を有する導電性材料により構成される。そのため、このデフォッガ３が後述するＤＡＢ用ガラスアンテナ４に近接する場合には、デフォッガ３は、当該ＤＡＢ用ガラスアンテナ４の受信性能に影響を及ぼし得る。
【００３７】
ここで、後述する各実験（特に、実験４及び実験８）で示されるように、各垂直線条部３３によって各熱線部３２を短絡することで、ＤＡＢ用ガラスアンテナ４の受信性能を改善することができる。そこで、本実施形態では、複数の垂直線条部３３をデフォッガ３に設けることによって、ＤＡＢ用ガラスアンテナ４の受信性能を高めるように構成する。図１の例では、１本の垂直線条部３３がガラス板２の左右方向中央に配置されており、この１本の垂直線条部３３を中心として左右方向にそれぞれ２本の垂直線条部３３が左右対称に配置されている。これによって、本実施形態に係るデフォッガ３は、左右対称に形成されている。
【００３８】
なお、バスバー部３１の形状、本数及び配置、熱線部３２の形状、本数及び配置、垂直線条部３３の形状、本数及び配置、並びに接続部３４の位置は、このような例に限定されなくてもよく、実施の形態に応じて適宜設計可能である。例えば、垂直線条部３３は、単一であってもよいし、省略されてもよい。ただし、後述する実験９で示されるように、本件発明者らは、垂直線条部３３の配置によっては、ＤＡＢの周波数帯の電波によりデフォッガ３に定常波が発生してしまい、ＤＡＢ用ガラスアンテナ４の感度が低下することを見出した。そのため、垂直線条部３３は、ＤＡＢの周波数帯の電波によりデフォッガ３に当該電波の定常波が発生しないように配置されるのが好ましい。これによって、ＤＡＢ用ガラスアンテナ４の感度が低下することを防止し、ＤＡＢの放送の受信性能を向上させることができる。
【００３９】
ＤＡＢの電波の定常波が発生しないような垂直線条部３３の配置とは、具体的には、次のとおりである。すなわち、各熱線部３２において、バスバー部３１と垂直線条部３３との間に挟まれた部分、及び隣接する垂直線条部３３の間に挟まれた部分の距離Ｐ（以下、この距離を「ピッチ」とも称してよい）が受信する電波の半波長の整数倍である場合に、各部分で当該電波の定常波が生じうる。そのため、各部分の距離Ｐが以下の数１に示すＦの整数倍と等しくならないように、各垂直線条部３３を配置することで、ＤＡＢの周波数帯の電波による定常波がデフォッガ３に発生しないようにすることができる。
【００４０】
【数１】
2016190064.tif 000003
なお、Ｆは、ＤＡＢの電波の半波長を示す。λ0は、熱線部３２上におけるＤＡＢの電波の波長を示す。Ｋは、熱線部３２上の波長短縮率を示す。このＫ（波長短縮率）の値は、ガラスの物性（比誘電率）、ガラスの厚み、受信対象とする電波の周波数等に基づいて特定され得る。一般的なガラスでは、Ｋの値は、０．６〜０．８の範囲で設定される。また、ｃは、光速を示す。ｆは、ＤＡＢの電波の周波数を示す。
【００４１】
仮に、ＤＡＢのバンド３を想定したとして、上記数１のｆには、１７０ＭＨｚ〜２４０ＭＨｚを代入したとする。また、光速ｃに３．０×１０8（ｍ／ｓ）を代入し、波長短縮率Ｋに０．７を代入したとすると、Ｆは、０．４４ｍから０．６２ｍまでの範囲の値となる。そのため、バスバー部３１と垂直線条部３３との間に挟まれた部分、及び隣接する垂直線条部３３の間に挟まれた部分の距離Ｐが、０．４４ｍから０．６２ｍまでの値（及び、これの整数倍）と等しくならないように各垂直線条部３３を配置すれば、バンド３の電波による定常波がデフォッガ３で発生しないようにすることができる。なお、上記計算は、説明の便宜のために、簡易的な数値で行った。各部分の距離Ｐが避けるべき値Ｆを定めるにあたり、Ｋ、ｆ、及びｃの値は、上記の値に限られず、実施の形態に応じて適宜選択されてよい。
【００４２】
このデフォッガ３は、導電性を有する導電性材料をガラス板２の表面に所定のパターンを有するように積層することで形成される。デフォッガ３の材料は、導電性を有していればよく、実施の形態に適宜選択可能である。デフォッガ３の材料の一例として、銀、金、白金等を挙げることができる。このデフォッガ３は、例えば、銀粉末、ガラスフリット等を含む導電性の銀ペーストをガラス板２の表面に印刷し焼成することによって形成することができる。
【００４３】
＜ＤＡＢ用ガラスアンテナ＞
次に、ＤＡＢの放送を受信するためのＤＡＢ用ガラスアンテナ４について説明する。ＤＡＢは、ヨーロッパ等で採用されているデジタルラジオの放送規格である。ＤＡＢでは、主に、周波数帯域が１７４ＭＨｚ〜２４０ＭＨｚのバンド３と周波数帯域が１４５２ＭＨｚ〜１４９２ＭＨｚのＬバンドとが用いられている。ＤＡＢ用ガラスアンテナ４は、受信する周波数帯域に応じて適宜構成されてよい。なお、自動車の仕様等に応じて、各周波数帯域は若干変更され得る。そのため、例えば、バンド３の１７４ＭＨｚ〜２４０ＭＨｚの帯域は１７０ＭＨｚ〜２４０ＭＨｚの帯域として取り扱ってもよい。本明細書では、説明の便宜上、ＤＡＢのバンド３の周波数帯域として、１７０ＭＨｚ〜２４０ＭＨｚの帯域も利用する。
【００４４】
本実施形態に係るＤＡＢ用ガラスアンテナ４は、ガラス板２の下辺部２２側に配置された矩形状の給電部４１と、この給電部４１から垂直方向上方に延びる線条の垂直エレメント４２と、垂直エレメント４２に連結し、左方向（水平方向）に延びる線条の水平エレメント４３と、を備えている。図１に例示されるように、水平エレメント４３は、右端部において、垂直エレメント４２の上端部と連結している。これによって、垂直エレメント４２及び水平エレメント４３はＬ字型のアンテナを構成している。このＬ字型のアンテナのうち、垂直エレメント４２は本発明の「第１エレメント」に相当し、水平エレメント４３は本発明の「第２エレメント」に相当する。
【００４５】
上記のとおり、従来のＤＡＢ用ガラスアンテナは、窓ガラスの上辺側に配置されていた。これに対して、本件発明者らは、後述する各実験（特に、実験１）に基づき、ＤＡＢ用ガラスアンテナを窓ガラスの下辺側に配置した方がガラス板の上辺側に配置するよりも、当該ＤＡＢ用ガラスアンテナの感度がよくなることを見出した。そこで、本実施形態では、ＤＡＢ用ガラスアンテナ４の給電部４１をガラス板２の下辺部２２側に配置することで、ＤＡＢ用ガラスアンテナ４を窓ガラス１の下辺側に配置する。これによって、ＤＡＢ用ガラスアンテナ４によるＤＡＢの放送の受信性能を向上させることができる。
【００４６】
ここで、垂直エレメント４２の垂直方向（上下方向）の長さ及び水平エレメント４３の水平方向（左右方向）の長さはそれぞれ受信する周波数帯域に応じて適宜設定されてよい。一般的には、ＤＡＢのように垂直偏波の信号を受信するためには、垂直エレメント４２の垂直方向の長さを出来るだけ長くした方がよい。
【００４７】
しかしながら、本実施形態では、ＤＡＢ用ガラスアンテナ４の上方にデフォッガ３が設けられているため、ＤＡＢ用ガラスアンテナ４の設置可能な範囲が制限されている。換言すると、デフォッガ３の上下方向の長さの分だけ、形成可能な垂直エレメント４２の垂直方向の長さが制限されている。
【００４８】
そこで、本実施形態では、ＤＡＢ用ガラスアンテナ４の長さを確保するため、垂直エレメント４２に連結する水平エレメント４３を設けている。これによって、本実施形態では、ＤＡＢ用ガラスアンテナ４の受信性能を保ちつつ、垂直エレメント４２の垂直方向の長さを抑えることができる。
【００４９】
ただし、垂直エレメント４２が著しく短い場合には、ＤＡＢ用ガラスアンテナ４の受信性能が著しく低下してしまう。そのため、後述する各実験（特に、実験２、実験５及び実験６）に基づき、垂直エレメント４２の垂直方向の長さは２０ｍｍ以上に構成されるのが望ましい。また、垂直エレメント４２及び水平エレメント４３の合計の長さは、受信対象とする電波の１／２波長分の長さとなるように構成されるのが望ましい。
【００５０】
また、図１に例示されるように、本実施形態に係るＤＡＢ用ガラスアンテナ４は、当該ＤＡＢ用ガラスアンテナ４の上端がデフォッガ３から距離Ｄ１だけ下方に離れるように配置されている。換言すると、デフォッガ３は、ＤＡＢ用ガラスアンテナ４の上端から垂直方向上方に距離Ｄ１の位置に配置されている。本実施形態では、水平エレメント４３が垂直エレメント４２の上端部に連結しているため、垂直エレメント４２の上端部と共に水平エレメント４３の上辺部がガラスアンテナ４の上端に相当する。
【００５１】
距離Ｄ１は、実施の形態に応じて適宜設定されてよい。ただし、距離Ｄ１が短すぎる場合には、導電性材料で構成されたデフォッガ３がＤＡＢ用ガラスアンテナ４の受信性能に悪影響を及ぼす可能性がある。そのため、後述する各実験（特に、実験３）に基づき、デフォッガ３がＤＡＢ用ガラスアンテナ４の受信性能に影響を及ぼすのを避けるためには、距離Ｄ１は、４６ｍｍ以上に設定されるのが望ましい。なお、距離Ｄ１が長すぎる場合には、ＤＡＢ用ガラスアンテナ４の設置可能な範囲が狭くなってしまい、垂直エレメント４２の垂直方向の長さが大きく制限されてしまう。そのため、距離Ｄ１の上限値は、垂直エレメント４２の垂直方向の長さに応じて適宜設定されてよい。
【００５２】
なお、本実施形態に係るＤＡＢ用ガラスアンテナ４は、いわゆる双極型アンテナとして構成される。すなわち、ＤＡＢ用ガラスアンテナ４は、更に、給電部４１の近傍に配置された矩形状のアース接続部４４と、このアース接続部４４から左方向（水平方向）に延びる線条のアース線条部４５と、を備えている。
【００５３】
そして、自動車に搭載された受信機（不図示）に連結された同軸ケーブル（不図示）の内部導体は、給電部４１に電気的に接続され、垂直エレメント４２及び水平エレメント４３で受信した信号を受け取る。一方、当該同軸ケーブルの外部導体は、アース接続部４４に電気的に接続され、アースされる。給電部４１と受信器との間にアンプ（不図示）を設けてもよい。これによって、自動車に搭載された受信機でＤＡＢの放送を受信することができる。なお、給電部４１と受信器との間にアンプを設ける場合、このアンプは、窓ガラス１の下辺部２２側に配置される。これにより、車体のフレームを切り欠くことなく、アンプと給電部４１とを配線で接続することができる。また、アンプと給電部４１との間の距離を短くすることができ、これによって、配線でのロスを抑え、ＤＡＢ用ガラスアンテナ４の受信性能を高めることができる。
【００５４】
ただし、ＤＡＢ用ガラスアンテナ４の構成はこのような例に限定されなくてもよく、アース接続部４４及びアース線条部４５が省略されて、ＤＡＢ用ガラスアンテナ４はいわゆる単極型アンテナとして構成されてもよい。この場合、同軸ケーブルの外部導体は、例えば、自動車の車体に直接接続されることで、アースされてもよい。
【００５５】
このようなＤＡＢ用ガラスアンテナ４は、デフォッガ３と同様、導電性を有する導電性材料をガラス板２の表面に所定のパターンを有するように積層することで形成することができる。ＤＡＢ用ガラスアンテナ４の材料は、導電性を有していればよく、実施の形態に適宜選択可能である。ＤＡＢ用ガラスアンテナ４の材料の一例として、銀、金、白金等を挙げることができる。このＤＡＢ用ガラスアンテナ４は、例えば、銀粉末、ガラスフリット等を含む導電性の銀ペーストをガラス板２の表面に印刷し焼成することによって形成することができる。
【００５６】
＜製造方法＞
次に、本実施形態に係る窓ガラス１の製造方法を説明する。本実施形態に係る窓ガラス１のガラス板２は、プレスによって成形するプレス成形工法、ガラス板２の自重で曲げる自重曲げ工法等によって成形することができる。
【００５７】
ここで、それぞれの工法においてガラス板２を成形する際には、ガラス板２は加熱炉内で軟化点付近まで加熱される。この加熱炉内に搬入される前には、ガラス板２は、平板状に形成されており、銀粉末、ガラスフリット等を含む導電性の銀ペーストがこのガラス板２の表面に印刷される。そして、ガラス板２を加熱炉内に搬入することで、ガラス板２を成形すると共に、ガラス板２に印刷された銀ペーストを焼成して、デフォッガ３及びＤＡＢ用ガラスアンテナ４を形成することができる。
【００５８】
＜使用例＞
次に、図２を用いて、本実施形態に係る窓ガラス１の使用例を説明する。図２は、本実施形態に係る窓ガラス１の使用例を模式的に示す。図２に例示されるように、本実施形態に係る窓ガラス１は、ハッチバックタイプの車両８のリアガラスとして利用することができる。
【００５９】
この車両８は、窓枠９をリア側に備えており、窓ガラス１がこの窓枠９に取り付けられる。例えば、窓ガラス１は、水平方向から平行光を当て、それにより生じた投影面積が０．５ｍｍ2となり、水平方向を基準としたとき（水平方向を０度としたとき）の取付角度が４５度以上７５度以下となるように窓枠９に取り付けられる。なお、窓ガラス１が湾曲している場合、窓ガラス１の各点で取付角度は変動する。この場合、窓ガラス１は、当該窓ガラス１の任意の点で取付角度が４５度以上７５度以下となるように窓枠９に取り付けられる。また、投影面積は、例えば、次のようにして測定することができる。すなわち、窓ガラス１を車両の窓枠に取り付け、地面に対して平行な平行光を車内側から窓ガラス１に照射する。そして、地面に対して垂直に設置した車外のスクリーンに窓ガラス１の透過光を投影し、このスクリーンに投影された窓ガラス１の影の面積を測定する。これによって、窓ガラス１の投影面積を測定することができる。
【００６０】
このような取付面積及び取付角度の窓枠９に窓ガラス１を取り付ける場合には、窓ガラス１の大きさは比較的に小さくなる。そのため、ＤＡＢ用ガラスアンテナ４と共にデフォッガ３を窓ガラス１に設けると、ＤＡＢ用ガラスアンテナ４の設置可能な範囲が制限されてしまう。しかしながら、上記のとおり、本実施形態によれば、ＤＡＢ用ガラスアンテナ４の受信性能を保ちつつ、垂直エレメント４２の垂直方向の長さを抑えることができる。すなわち、ＤＡＢ用ガラスアンテナ４の設置可能な範囲が制限されても、ＤＡＢ用ガラスアンテナ４の受信性能を維持することが可能である。したがって、本実施形態は、このような取付面積及び取付角度の窓で特に効果を発揮する。
【００６１】
§２  変形例
以上、本発明の実施の形態を詳細に説明してきたが、前述までの説明はあらゆる点において本発明の例示に過ぎない。本発明の範囲を逸脱することなく種々の改良や変形を行うことができることは言うまでもない。窓ガラス１、ガラス板２、デフォッガ３及びＤＡＢ用ガラスアンテナ４の各構成要素に関して、実施の形態に応じて、適宜、構成要素の省略、置換及び追加が行われてもよい。例えば、以下のような変更が可能である。なお、以下では、上記実施形態と同様の構成要素に関しては同様の符号を用い、適宜説明を省略した。
【００６２】
（ガラス板）
例えば、ガラス板２の上記具体的な構成に関して、実施の形態に応じて、適宜、構成要素の省略、変更、置換、及び追加が行われてもよい。上記ガラス板２は、例えば、前方側に湾曲した形状であってもよいし、平らな形状であってもよい。また、ガラス板２は、リアガラス以外の用途で利用されてもよい。
【００６３】
また、上記ガラス板２は、１枚のガラス板により構成されている。しかしながら、上記ガラス板２は、外側ガラス板と内側ガラス板とを中間膜を介して互いに接合した合わせガラスにより構成されてもよい。更に、上記ガラス板２は、台形状に形成されている。しかしながら、ガラス板２の形状は、このような形状に限定されなくてもよく、実施の形態に応じて適宜選択されてよい。
【００６４】
（デフォッガ及びＤＡＢ用ガラスアンテナ）
また、例えば、デフォッガ３及びＤＡＢ用ガラスアンテナ４それぞれの上記具体的な構成に関して、実施の形態に応じて、適宜、構成要素の省略、変更、置換、及び追加が行われてもよい。
【００６５】
例えば、上記デフォッガ３は、左右対称に形成されなくてもよい。また、上記実施形態では、複数の（図では５本）垂直線条部３３が左右対称に配置されている。しかしながら、複数の垂直線条部３３は、このように左右対称に配置されなくてもよい。また、上記実施形態では、５本の垂直線条部３３が設けられている。しかしながら、垂直線条部３３の数は、５本に限定されなくてもよく、１本〜４本であってもよいし、６本以上であってもよい。すなわち、垂直線条部３３の配置及び数は、実施の形態に応じて適宜選択されてよい。ただし、隣接する垂直線条部３３間のピッチ及びバスバー部３１と当該バスバー部３１に隣接する垂直線条部３３との間のピッチが上記数１に示すＦの整数倍と等しくならないように、垂直線条部３３の配置及び数を選択するのが好ましい。また、熱線部３２の上下方向の配置間隔は、一定であってもよいし、一定でなくてもよい。更に、給電部４１及びアース接続部４４の形状は、矩形状に限定されなくてもよく、実施の形態に応じて適宜選択されてよい。
【００６６】
また、例えば、上記ＤＡＢ用ガラスアンテナ４において、垂直エレメント４２及び水平エレメント４３がそれぞれ連結する位置は、上記のような例に限定されなくてもよく、実施の形態に応じて適宜選択されてよい。例えば、水平エレメント４３は、中央部において、垂直エレメント４２のいずれかの位置に連結してもよい。これによって、Ｔ字状又は十字状のアンテナを構成することができる。
【００６７】
更に、図３Ａ及び図３Ｂに例示される窓ガラス１Ａ〜１Ｃを構成してもよい。図３Ａは、上記窓ガラス１からデフォッガ３を省略した窓ガラス１Ａを模式的に例示する。図３Ｂは、上記窓ガラス１から垂直線条部３３を省略した窓ガラス１Ｂを模式的に例示する。
【００６８】
まず、図３Ａの例示する窓ガラス１Ａについて説明する。図３Ａに例示されるように、上記デフォッガ３は省略されてもよい。この場合、デフォッガ３によるＤＡＢ用ガラスアンテナの設置範囲の制限がなくなる。そのため、図３Ａに例示されるように、上記ＤＡＢ用ガラスアンテナ４から水平エレメント４３を省略し、垂直エレメント４２でアンテナを構成してもよい。図３Ａに例示されるＤＡＢ用ガラスアンテナ４Ａは、水平エレメント４３が省略されている点を除き、上記ＤＡＢ用ガラスアンテナ４と同様である。
【００６９】
次に、図３Ｂの例示する窓ガラス１Ｂについて説明する。図３Ｂに例示されるように、上記デフォッガ３における垂直線条部３３は省略されてもよい。図３Ｂに例示されるデフォッガ３Ｂは、垂直線条部３３が省略される点を除き、上記デフォッガ３と同様である。なお、この場合、垂直線条部３３によるＤＡＢ用ガラスアンテナ４の受信性能の改善の効果が期待できなくなる。そのため、この場合には、特に、デフォッガ３ＢがＤＡＢ用ガラスアンテナ４の受信性能に悪影響を及ぼさないように、距離Ｄ１は、４６ｍｍ以上に設定されるのが望ましい。
【００７０】
また、例えば、上記実施形態では、給電部４１が水平方向中央に配置され、垂直エレメント４２は給電部４１にダイレクトに接続している。しかしながら、ＤＡＢ用ガラスアンテナ４の給電部４１の配置及び各エレメントの形状は、このような例に限定されなくてもよく、実施の形態に応じて適宜変更されてよい。給電部４１は、左側辺部２３寄り又は右側辺部２４寄りに配置されてもよい。更に、垂直エレメント４２は給電部４１にダイレクトに接続していなくてもよい。一例として、図３Ｃ及び図３Ｄに示す変更が可能である。
【００７１】
図３Ｃは、ＤＡＢ用ガラスアンテナ４Ｄを右側辺部２４寄りに設けた窓ガラス１Ｄを模式的に例示する。ＤＡＢ用ガラスアンテナ４Ｄは、右側辺部２４寄りに配置される給電部４１Ｄと、給電部４１Ｄから左側辺部２３の方に延びる配線部４６Ｄと、を備えている。配線部４６Ｄは、給電部４１Ｄ側から順に、給電部４１Ｄからやや上方に延びる第１部分４６１Ｄ、第１部分４６１Ｄの上端部から左側に延びる第２部分４６２Ｄ、第２部分４６２Ｄの左端部からやや下方に延びる第３部分４６３Ｄ、及び第３部分４６３Ｄの下端部から左側に大きく延びる第４部分４６４Ｄにより構成されている。
【００７２】
本変形例では、垂直エレメント４２Ｄは、配線部４６Ｄの第４部分４６４Ｄの左端部に連結し、当該第４部分４６４Ｄの左端部から垂直方向上方に延びている。また、水平エレメント４３Ｄは、垂直エレメント４２Ｄの上端部に連結し、当該垂直エレメント４２Ｄの上端部から右側に延びている。この水平エレメント４３Ｄは、配線部４６Ｄの第４部分４６４Ｄよりも左右方向に短くなっている。
【００７３】
また、給電部４１Ｄの左側には、アース接続部４４Ｄが配置されている。本変形例では、図３Ｃに示すように、配線部４６Ｄの第１部分４６１Ｄ〜第３部分４６３Ｄがアース接続部４４Ｄの上側を囲むように配置されているため、当該アース接続部４４Ｄから下方に延びる線条部４７Ｄが設けられている。アース線条部４５Ｄは、この線条部４７Ｄの下端部から水平方向に延びている。
【００７４】
このほか、窓ガラス１Ｄは、上記窓ガラス１と同様の構成を有している。なお、配線部４６Ｄは、各エレメント（４２Ｄ、４３Ｄ）と同様の材料で形成されてよい。そのため、配線部４６Ｄの全部又は一部は、各エレメント（４２Ｄ、４３Ｄ）と同様の機能を発揮するように構成されてもよい。
【００７５】
また、図３Ｄは、図３Ｃに示すＤＡＢ用ガラスアンテナ４Ｄとは形状の異なるＤＡＢ用ガラスアンテナ４Ｅを有する窓ガラス１Ｅを模式的に例示する。ＤＡＢ用ガラスアンテナ４Ｅは、右側辺部２４寄りに配置される給電部４１Ｅと、この給電部４１Ｅより右側に配置されるアース接続部４４Ｅと、を備えている。
【００７６】
給電部４１Ｅからは、配線部４６Ｅが水平方向に延びている。垂直エレメント４２Ｅは、この配線部４６Ｅの左端部に連結し、当該配線部４６Ｅの左端部から垂直方向上方に延びている。また、水平エレメント４３Ｅは、垂直エレメント４２Ｅの上端部に連結し、当該垂直エレメント４２Ｅの上端部から右側に延びている。この水平エレメント４３Ｅは、配線部４６Ｅよりも左右方向に短くなっている。上記変形例と同様に、この配線部４６Ｅは、各エレメント（４２Ｅ、４３Ｅ）と同様の材料で形成されてよい。そのため、この配線部４６Ｅの全部又は一部は、各エレメント（４２Ｅ、４３Ｅ）と同様の機能を発するように構成されてもよい。
【００７７】
一方、アース接続部４４Ｅからは、線条部４７Ｅがやや下方に延びている。そして、アース線条部４５Ｅは、この線条部４７Ｅの下端部から水平方向に延びている。このアース線条部４５Ｅは、垂直エレメント４２Ｅよりも左側辺部２３側まで延びている。このほか、窓ガラス１Ｅは、上記窓ガラス１と同様の構成を有している。
【００７８】
以上のように、ＤＡＢ用ガラスアンテナ４の給電部４１の配置及び各エレメントの形状は、実施の形態に応じて適宜変更可能である。
【００７９】
＜その他＞
また、上記のとおり、垂直線条部３３をデフォッガ３に設けることでＤＡＢ用ガラスアンテナ４の受信性能の改善を図ることができる。そのため、垂直線条部３３をデフォッガ３に設けることで上記ＤＡＢ用ガラスアンテナ４の受信性能の改善を図る場合には、上記ＤＡＢ用ガラスアンテナ４は、ガラス板２の上辺部２１側に配置されてもよい。以下、図４を用いて、この例について説明する。
【００８０】
図４は、ＤＡＢ用ガラスアンテナ５をガラス板２の上辺部２１側に設けた窓ガラス１Ｃを模式的に例示する。図４に例示されるＤＡＢ用ガラスアンテナ５は、ガラス板２の上辺部２１側に配置されている点を除き、上記ＤＡＢ用ガラスアンテナ４と同様である。
【００８１】
すなわち、ＤＡＢ用ガラスアンテナ５は、ガラス板２の上辺部２１側に配置される矩形状の給電部５１と、この給電部５１から垂直方向下方に延びる線条の垂直エレメント５２と、垂直エレメント５２に連結し、左方向（水平方向）に延びる線条の水平エレメント５３と、を備えている。また、ＤＡＢ用ガラスアンテナ５は、双極型アンテナとして構成されており、給電部５１の近傍に配置された矩形状のアース接続部５４と、このアース接続部５４から左方向（水平方向）に延びる線条のアース線条部５５と、を備えている。
【００８２】
更に、図４に例示されるデフォッガ３Ｃは、ガラス板２の下辺部２２側に配置されている点を除き、上記デフォッガ３と同様である。ここで、ＤＡＢ用ガラスアンテナ５の下端とデフォッガ３Ｃとの間の距離Ｄ２は実施の形態に応じて適宜設定されてよい。後述する各実験（特に、実験７）に基づき、距離Ｄ２は、８５ｍｍ以上に設定されてよい。なお、本変形例では、水平エレメント５３は、垂直エレメント５２の下端部に連結している。そのため、垂直エレメント５２の下端部及び水平エレメント５３の下辺部がＤＡＢ用ガラスアンテナ５の下端に相当する。
【実施例】
【００８３】
以下、本発明の実施例について説明する。ただし、本発明はこの実施例に限定される訳ではない。本発明のＤＡＢ用ガラスアンテナの受信性能を調べるために、以下の実験１〜９を行った。以下、各実験について説明する。【００８４】
（１）実験１：ＤＡＢ用ガラスアンテナの配置
まず、本実験１では、図５Ａ及び図５Ｂに例示されるように、ＤＡＢ用ガラスアンテナをガラス板の上辺部側又は下辺部側に配置することによるＤＡＢ用ガラスアンテナの受信性能への影響を調べた。図５Ａは、ＤＡＢ用ガラスアンテナ４Ｃをガラス板２の下辺部２２側に配置した実施例１を模式的に例示する。また、図５Ｂは、ＤＡＢ用ガラスアンテナ５をガラス板２の上辺部２１側に配置した比較例１を模式的に例示する。【００８５】
図５Ａに例示されるように、上記図３Ａに例示される変形例の窓ガラス１Ａと同様の構成を有する実施例１の窓ガラスを用意した。具体的には、ハッチバックタイプのワゴン車の湾曲したリアガラスを実施例１に係る窓ガラスとして用意した。そして、用意した実施例１に係る窓ガラスを、ハッチバックタイプのワゴン車におけるリア側の窓枠に取り付けた。ガラス板２を取り付けた窓枠の上辺の長さは９２０ｍｍであり、窓枠の下辺の長さは１１００ｍｍであり、窓枠の上下方向の高さは４１５ｍｍであった。この窓枠のサイズに合うようにガラス板２を公知の製造工程により形成した。また、窓枠の下辺から５ｍｍ上方に給電部４１、アース接続部４４及びアース線条部４５が配置され、給電部４１及び垂直エレメント４２がガラス板２の左右方向の中央に配置されるように、ＤＡＢ用ガラスアンテナ４Ａを構成することで、実施例１に係る窓ガラスを得た。実施例１に係る給電部４１及びアース接続部４４はそれぞれ２０ｍｍ×２０ｍｍの矩形状とした。また、垂直エレメント４２の上下方向の長さは３００ｍｍとした。更に、アース線条部４５の左右方向の長さは１１０ｍｍとした。【００８６】
更に、図５Ａに例示されるように、この実施例１のＤＡＢ用ガラスアンテナ４Ａを１００ｍｍピッチで右側辺部２４側に移動させることで、実施例２〜５に係る窓ガラスを得た。すなわち、実施例１のＤＡＢ用ガラスアンテナ４Ａを右側辺部２４側に１００ｍｍ水平移動させることで、実施例２に係る窓ガラスを得た。同様に、実施例１のＤＡＢ用ガラスアンテナ４Ａを右側辺部２４側にそれぞれ２００ｍｍ、３００ｍｍ及び４００ｍｍ水平移動させることで、実施例３、４及び５に係る窓ガラスを得た。なお、実施例２〜４に係るＤＡＢ用ガラスアンテナ４Ａではそれぞれ、実施例１と同様に、垂直エレメント４２の上下方向の長さを３００ｍｍとした。一方、実施例５に係るＤＡＢ用ガラスアンテナ４Ａの垂直エレメント４２の上下方向の長さは２９０ｍｍとした。この実施例５に係る窓ガラスでは、ガラス板２の右側辺部２４から垂直エレメント４２までの距離は１４１．５ｍｍであった。【００８７】
これに対して、図５Ｂに例示されるように、実施例１のＤＡＢ用ガラスアンテナ４Ａをガラス板２の上辺部２１側に配置することで、比較例１の窓ガラスを用意した。具体的には、上記実施例１と同様にガラス板２を形成した。また、窓枠の上辺から５ｍｍ下方に給電部５１、アース接続部５４及びアース線条部５５が配置され、給電部５１及び垂直エレメント５２がガラス板２の左右方向の中央に配置されるように、ＤＡＢ用ガラスアンテナ５を構成することで、比較例１に係る窓ガラスを得た。比較例１に係る給電部５１及びアース接続部５４は、実施例１と同様に、それぞれ２０ｍｍ×２０ｍｍの矩形状とした。また、垂直エレメント５２の上下方向の長さは３１０ｍｍとした。更に、アース線条部５５の左右方向の長さは１１０ｍｍとした。【００８８】
また、図５Ｂに例示されるように、この比較例１のＤＡＢ用ガラスアンテナ５を１００ｍｍピッチで右側辺部２４側に移動させることで、比較例２〜５に係る窓ガラスを得た。すなわち、比較例１のＤＡＢ用ガラスアンテナ５を右側辺部２４側に１００ｍｍ水平移動させることで、比較例２に係る窓ガラスを得た。同様に、比較例１のＤＡＢ用ガラスアンテナ５を右側辺部２４側にそれぞれ２００ｍｍ、３００ｍｍ及び４００ｍｍ水平移動させることで、比較例３、４及び５に係る窓ガラスを得た。なお、比較例２〜４に係るＤＡＢ用ガラスアンテナ５それぞれの垂直エレメント５２の上下方向の長さは３００ｍｍとした。一方、比較例５に係るＤＡＢ用ガラスアンテナ５の垂直エレメント５２の上下方向の長さは２９０ｍｍとした。この比較例２に係る窓ガラスでは、ガラス板２の右側辺部２４から垂直エレメント５２までの距離は６０．５ｍｍであった。【００８９】
このようにして得た実施例１〜５及び比較例１〜５の各窓ガラスを上記のとおりハッチバックタイプのワゴン車に取り付けた。そして、電波暗室内でＤＡＢのバンド３の電波を当該ワゴン車に対して放射し、各ＤＡＢ用ガラスアンテナによって、当該ＤＡＢのバンド３の信号を受信することで、各ＤＡＢ用ガラスアンテナの感度を測定した。各ＤＡＢ用ガラスアンテナの感度の測定にはネットワークアナライザー（アジレント社製、型版：Ｅ−５０７１Ｃ）を利用した。測定に当たっての具体的な条件は以下のとおりである。
・ガラス板の取付角度：水平方向に対して、上下方向の下辺の点で６２度傾斜、上下方向
の中央の点で５４度傾斜、上下方向の上辺の点で４５度傾斜
・角度分解能：角度３度毎にワゴン車を３６０度回転させて測定
・周波数分解能：１７４ＭＨｚ〜２４０ＭＨｚの範囲で１ＭＨｚ毎に測定
・電波の発信位置とアンテナとの仰角：１．７度（地面と水平方向を０度、天頂方向を９０度とする）
なお、上記各条件は、以下の実験２〜８においても、特に断りのない限り同じである。各ＤＡＢ用ガラスアンテナの感度は、半波長ダイポールアンテナを基準とする相対利得（ｄＢｄ）で定義した。受信機と各ＤＡＢ用ガラスアンテナとの間にはアンプを設けず、スルーケーブルを利用した。図６Ａ、図６Ｂ、図７Ａ及び図７Ｂは、その結果を示す。【００９０】
図６Ａは、ＤＡＢのバンド３の各周波数に対する各実施例１〜５の感度（利得）の測定結果を示す。また、図６Ｂは、ＤＡＢのバンド３の帯域における各実施例１〜５の感度（利得）の平均値を示す。一方、図７Ａは、ＤＡＢのバンド３の各周波数に対する各比較例１〜５の測定結果を示す。また、図７Ｂは、ＤＡＢのバンド３の帯域における各比較例１〜５の感度（利得）の平均値を示す。【００９１】
各実施例１〜５の感度の平均値（図６Ｂ）と各比較例１〜５の感度の平均値（図７Ｂ）とを比較すると、各実施例１〜５は、各比較例１〜５よりも１ｄＢｄ程度感度が良好であった。すなわち、ＤＡＢ用ガラスアンテナは、窓ガラスの上辺側に配置するよりも下辺側に配置したほうが、ＤＡＢの放送（特に、バンド３）の受信性能が向上することが分かった。【００９２】
なお、各測定結果を参照すると、各実施例１〜５では、実施例３の受信性能が最も良好であった。また、各比較例１〜５では、比較例３の受信性能が最も良好であった。これは、各アース線条部（４５、５５）が左方向に延びていることに起因するものと推測される。すなわち、ガラス板の左右方向の中央からアース線条部の延びる方向とは反対方向にＤＡＢ用ガラスアンテナをアース線条部の長さ程度ずらすことで、当該ＤＡＢ用ガラスアンテナの受信性能を高めることができることが分かった。【００９３】
（２）実験２：垂直エレメント及び水平エレメントの長さ
次に、本実験２では、図８に例示されるように、ＤＡＢ用ガラスアンテナにおける垂直エレメントの垂直方向の長さと水平エレメントの水平方向の長さとを変更することによる当該ＤＡＢ用ガラスアンテナの受信性能への影響を調べた。図８は、本実験２におけるＬ字型のアンテナを構成する各実施例７〜１１に係る窓ガラスを模式的に例示する。【００９４】
まず、上記実験１の実施例１における垂直エレメント４２の長さＬ１を２４０ｍｍとし、アース線条部４５の水平方向の長さを３００ｍｍとすることで、当該実施例１と同様の構成を有する実施例６に係る窓ガラスを得た。すなわち、実施例６に係るＤＡＢ用ガラスアンテナ４では、水平エレメント４３の長さＬ２は０ｍｍである。なお、アース接続部４４に接続される配線は、車体側に設けられた接続部の端子から１５０ｍｍの位置でアースした。【００９５】
そして、実施例６の垂直エレメント４２の長さＬ１を短くし、水平エレメント４３の長さＬ２を長くすることで、実施例７〜１１の窓ガラスを得た。実施例７に係るＤＡＢ用ガラスアンテナ４では、垂直エレメント４２の長さＬ１を１００ｍｍとし、水平エレメント４３の長さＬ２を１２０ｍｍとした。また、実施例８に係るＤＡＢ用ガラスアンテナ４では、垂直エレメント４２の長さＬ１を８０ｍｍとし、水平エレメント４３の長さＬ２を１４０ｍｍとした。また、実施例９に係るＤＡＢ用ガラスアンテナ４では、垂直エレメント４２の長さＬ１を６０ｍｍとし、水平エレメント４３の長さＬ２を１６０ｍｍとした。また、実施例１０に係るＤＡＢ用ガラスアンテナ４では、垂直エレメント４２の長さＬ１を４０ｍｍとし、水平エレメント４３の長さＬ２を１８０ｍｍとした。また、実施例１１に係るＤＡＢ用ガラスアンテナ４では、垂直エレメント４２の長さＬ１を２０ｍｍとし、水平エレメント４３の長さＬ２を１９０ｍｍとした。すなわち、実施例７〜１１では、垂直エレメント４２及び水平エレメント４３によりＬ字型のアンテナを構成した。各実施例６〜１１について、上記実験１と同様の方法で、各ＤＡＢ用ガラスアンテナの感度を測定した。図９Ａ及び図９Ｂは、その結果を示す。【００９６】
図９Ａは、ＤＡＢのバンド３の各周波数に対する各実施例６〜１１の感度（利得）の測定結果を示す。また、図９Ｂは、ＤＡＢのバンド３の帯域における各実施例６〜１１の感度（利得）の平均値を示す。図９Ａ及び図９Ｂに示されるように、垂直エレメントの長さＬ１を短くするのに応じて、ＤＡＢ用ガラスアンテナの受信性能が低下することが分かった。図９Ｂに示されるとおり、実施例１１に係るＤＡＢ用ガラスアンテナの感度の平均値は−８．４ｄＢｄであった。これより感度が低下すると、ＤＡＢの放送の受信に影響を与えるものと推測される。すなわち、これらの結果から、垂直エレメントの長さを２０ｍｍ以上にすることで、ＤＡＢ（特に、バンド３）の放送を受信するのに耐えうる受信性能を担保することができることが分かった。【００９７】
（３）実験３：デフォッガとＤＡＢ用ガラスアンテナとの距離
次に、本実験３では、図１０に例示されるように、垂直線条部の設けていないデフォッガとＤＡＢ用ガラスアンテナとの間の距離Ｄ１を変更することによる当該ＤＡＢ用ガラスアンテナの受信性能への影響を調べた。図１０は、本実験３における２本の熱線部３２が設けられる実施例１４に係る窓ガラスを模式的に例示する。【００９８】
まず、上記実験２の実施例７における水平エレメント４３の長さＬ２を１２０ｍｍとすることで、当該実施例７と同様の構成を有する実施例１２Ａに係る窓ガラスを得た。すなわち、実施例１２Ａに係る窓ガラスは、ＤＡＢ用ガラスアンテナ４の水平エレメント４３の長さを除き、実施例７に係る窓ガラスと同一の構成である。また、実施例１２Ａの垂直エレメント４２の長さＬ１を８０ｍｍとし、水平エレメント４３の長さＬ２を１４０ｍｍとすることで、実施例１２Ｂに係る窓ガラスを得た。【００９９】
また、実施例１２Ａの水平エレメント４３の長さＬ２を１４０ｍｍとし、かつ、１本の熱線部３２を有するデフォッガ３Ｂを実施例１２に係る窓ガラスに設けることで、実施例１３に係る窓ガラスを得た。実施例１３に係る窓ガラスでは、デフォッガ３ＢとＤＡＢ用ガラスアンテナ４との距離Ｄ１は２４１ｍｍであった。また、デフォッガ３Ｂのバスバー部３１間の長さは、上端付近で９００ｍｍであり、下端付近で９７０ｍｍであった。であった。そして、図１０に例示されるように、この実施例１３に係るデフォッガ３Ｂの熱線部３２を下方に３２．５ｍｍピッチで増やしていくことで、実施例１４〜実施例２０に係る窓ガラスを得た。すなわち、実施例１４〜２０に係る窓ガラスではそれぞれ、２〜８本の熱線部３２をそれぞれ有するデフォッガ３Ｂが形成され、デフォッガ３ＢとＤＡＢ用ガラスアンテナ４との距離Ｄ１はそれぞれ２０８．５ｍｍ、１７６ｍｍ、１４３．５ｍｍ、１１１ｍｍ、７８．５ｍｍ、４６ｍｍ及び１３．５ｍｍであった。各実施例１２Ａ、１２Ｂ、１３〜２０について、上記各実験と同様の方法で、各ＤＡＢ用ガラスアンテナの感度を測定した。図１１Ａ及び図１１Ｂは、その結果を示す。なお、図１１Ａの「実施例１２」は、実施例１２Ａ及び実施例１２Ｂについて得られた測定値の平均値を示す。【０１００】
図１１Ａは、ＤＡＢのバンド３の各周波数に対する各実施例１２〜２０の感度（利得）の測定結果を示す。また、図１１Ｂは、ＤＡＢのバンド３の帯域における各実施例１３〜２０の感度（利得）の平均値を示す。図１１Ａ及び図１１Ｂに示されるように、ＤＡＢ用ガラスアンテナの受信性能は、実施例１２〜１９の間では大きな変化はなく、実施例２０で悪化した。すなわち、デフォッガをＤＡＢ用ガラスアンテナから４６ｍｍ未満の範囲に近付けると、デフォッガが干渉することによって当該ＤＡＢ用ガラスアンテナの感度が低くなることが分かった。したがって、デフォッガとＤＡＢ用ガラスアンテナとの間の距離Ｄ１を４６ｍｍ以上離間させることで、デフォッガによるＤＡＢ用ガラスアンテナの受信性能への影響を防ぐことができることが分かった。特に、デフォッガに垂直線条部を設けていない場合には、デフォッガとＤＡＢ用ガラスアンテナとの間の距離Ｄ１を４６ｍｍ以上離間させることで、ＤＡＢ用ガラスアンテナの受信性能の悪化を防ぐことができることが分かった。【０１０１】
（４）実験４：垂直線条部
次に、本実験４では、図１２に例示されるように、垂直線条部を設けることによるＤＡＢ用ガラスアンテナの受信性能への影響を調べた。図１２は、５本の垂直線条部３３を設けた実施例２３に係る窓ガラスを模式的に例示する。【０１０２】
まず、デフォッガが設けられておらず、直線状のアンテナが構成された上記実験２の実施例６に係る窓ガラスを用意した。また、デフォッガが設けられておらず、Ｌ字型のアンテナが構成された上記実験３の実施例１２Ａの垂直エレメント４２の長さＬ１を１００ｍｍとし、水平エレメント４３の長さＬ２を１４０ｍｍとすることで、実施例１２Ｃに係る窓ガラスを用意した。更に、デフォッガが設けられているが、垂直線条部が設けられていない上記実験３の実施例２０のデフォッガ３Ｂの最下部に熱線部３２を１本追加し、熱線部３２の合計本数を９本とした。そして、最下部の熱線部３２とＤＡＢ用ガラスアンテナ４との距離が１３．５ｍｍとなるように、デフォッガ３Ｂを上側にずらすことで、実施例２０Ａに係る窓ガラスを用意した。【０１０３】
そして、図１２に例示されるように、この実施例２０Ａに係るデフォッガ３Ｂに垂直線条部３３を設けることで、実施例２１〜２３に係る窓ガラスを得た。実施例２１に係る窓ガラスでは、左右方向の中央にのみ垂直線条部３３を設けた。すなわち、実施例２１に係る窓ガラスでは、合計１本の垂直線条部３３を設けた。【０１０４】
また、実施例２２に係る窓ガラスでは、左右方向の中央に１本の垂直線条部３３を設け、当該１本の垂直線条部３３を中心として左右方向にそれぞれ１本の垂直線条部３３を左右対称に配置した。すなわち、実施例２２に係る窓ガラスでは、合計３本の垂直線条部３３を設けた。なお、左右方向に配置した各垂直線条部３３と中央に配置した垂直線条部３３との間の距離Ｗ１は２００ｍｍとした。【０１０５】
更に、実施例２３に係る窓ガラスでは、左右方向の中央に１本の垂直線条部３３を設け、当該１本の垂直線条部３３を中心として左右方向にそれぞれ２本の垂直線条部３３を左右対称に配置した。すなわち、実施例２２に係る窓ガラスでは、合計５本の垂直線条部３３を設けた。なお、左右方向内側に配置した各垂直線条部３３と中央に配置した垂直線条部３３との間の距離Ｗ１は２００ｍｍとした。また、左右方向外側に配置した各垂直線条部３３と中央に配置した垂直線条部３３との間の距離Ｗ２は３００ｍｍとした。各実施例６、１２Ｃ、２０Ａ、２１〜２３について、上記各実験と同様の方法で、各ＤＡＢ用ガラスアンテナの感度を測定した。図１３Ａ及び図１３Ｂは、その結果を示す。【０１０６】
図１３Ａは、ＤＡＢのバンド３の各周波数に対する各実施例６、１２Ｃ、２０Ａ、２１〜２３の感度（利得）の測定結果を示す。また、図１３Ｂは、ＤＡＢのバンド３の帯域における各実施例６、１２Ｃ、２０Ａ、２１〜２３の感度（利得）の平均値を示す。図１３Ａ及び図１３Ｂに示されるように、複数の垂直線条部を設けた実施例２２及び２３は、デフォッガを設けていない実施例６とほぼ同等の受信性能を有していた。特に、実施例２１〜２３を比較すると、垂直線条部の数を増やすに従って、ＤＡＢ用ガラスアンテナの受信性能が改善される傾向にあった。【０１０７】
ここで、実施例２２及び２３は、ほぼ上記実験３の実施例２０におけるデフォッガに複数の垂直線条部を追加した形態である。すなわち、実施例２２及び２３では、上記実験３においてＤＡＢ用ガラスアンテナの受信性能を悪化させる範囲にデフォッガを配置したにも関わらず、当該ＤＡＢ用ガラスアンテナの受信性能が改善された。したがって、本実験４から、ＤＡＢ用ガラスアンテナの受信性能を悪化させる範囲にデフォッガを配置しても、当該デフォッガに垂直線条部（特に、複数本の垂直線条部）を設けることで、当該ＤＡＢ用ガラスアンテナの受信性能を改善できることが分かった。よって、垂直線条部をデフォッガに設ける場合には、特に、複数本の垂直線条部をデフォッガに設ける場合には、ＤＡＢ用ガラスアンテナを窓ガラスの上辺側に配置しても、当該ＤＡＢ用ガラスアンテナの受信性能を改善できる可能性があることが推測された。【０１０８】
なお、実施例２１では、２１０ＭＨｚ当たりで、ＤＡＢ用ガラスアンテナの受信性能が低下している。これは、当該周波数２１０ＭＨｚ当たりの電波によりデフォッガ３に定常波が発生したことが影響していると想定される。【０１０９】
すなわち、実施例２１では、バスバー部３１間の長さは、上端部付近で９００ｍｍであり、下端部付近で９７０ｍｍであった。そして、左右方向中央にのみ垂直線条部３３を追加したため、各バスバー部３１と垂直線条部３３との間のピッチは、４５０ｍｍ〜４８５ｍｍ（０．４５ｍ〜０．４８５ｍ）となっていた。このピッチの範囲は、ＤＡＢのバンド３を想定した上記Ｆ（０．４４ｍ〜０．６２ｍ）の範囲に含まれる。つまり、上記数１の条件によると、実施例２１では、デフォッガ３に定常波が発生すると想定された。【０１１０】
そこで、数１のＦに０．４５ｍ〜０．４８５ｍ（４５０ｍｍ〜４８５ｍｍ）を代入し、光速ｃに３．０×１０8（ｍ／ｓ）を代入し、Ｋに０．７を代入すると、ｆの値は２１６ＭＨｚ〜２３３ＭＨｚとなる。このｆの値は、受信性能の低下した周波数２１０ＭＨｚから多少ずれているが、これは、Ｋの値を０．７としたことが影響しているものと考えられる。【０１１１】
これに対して、実施例２２では、各ピッチは、２００ｍｍ又は２５０ｍｍ〜２８５ｍｍであった。実施例２３では、各ピッチは、１００ｍｍ、１５０ｍｍ〜１８５ｍｍ又は２００ｍｍであった。すなわち、実施例２２及び２３では、隣接する垂直線条部３３の間のピッチ及びバスター部３１とバスバー部３１に隣接する垂直線条部３３のピッチは、上記数１のＦの整数倍に等しくなかった。そして、この実施例２２及び２３では、２１０ＭＨｚ当たりで、実施例２１のような受信性能の低下は生じなかった。したがって、デフォッガ３に定常波が発生し、ＤＡＢ用ガラスアンテナの受信性能の低下する条件を上記数１から導けることが分かった。【０１１２】
（５）実験５：複数の垂直線条部が設けられた場合における垂直エレメントの長さ
次に、本実験５では、図１４に例示されるように、５本の垂直線条部が設けられた場合に垂直エレメントの長さを変更することによるＤＡＢ用ガラスアンテナの受信性能への影響を調べた。図１４は、本実験５の様子を示す。【０１１３】
まず、上記実験４の実施例２３に係る窓ガラスを用意した。この実施例２３に係る窓ガラスでは、デフォッガ３とＤＡＢ用ガラスアンテナ４との間の距離Ｄ１は１３．５ｍｍであり、窓ガラスの下辺からデフォッガ３までの距離は１３８．５ｍｍであった。そして、この距離Ｄ１を維持したまま、ＤＡＢ用ガラスアンテナ４の垂直エレメント４２の長さＬ１を２０ｍｍずつ短くし、その短くした長さの分だけ下方に熱線部３２を新たに設けることによって、実施例２４〜２７に係る窓ガラスを得た。なお、実施例２３〜２７に係る窓ガラスでは、垂直エレメント４２の長さＬ１及び水平エレメント４３の長さＬ２の合計は２４０ｍｍで固定した。すなわち、実施例２４〜２７に係る窓ガラスではそれぞれ、ＤＡＢ用ガラスアンテナ４の垂直エレメント４２の長さＬ１は８０ｍｍ、６０ｍｍ、４０ｍｍ及び２０ｍｍであり、水平エレメント４３の長さＬ２は１６０ｍｍ、１８０ｍｍ、２００ｍｍ及び２２０ｍｍであった。また、実施例２４〜２７に係る窓ガラスではそれぞれ、窓ガラスの下辺からデフォッガ３までの距離は１１８．５ｍｍ、９８．５ｍｍ、７８．５ｍｍ及び５８．５ｍｍであった。各実施例２３〜２７について、上記各実験と同様の方法で、各ＤＡＢ用ガラスアンテナの感度を測定した。図１５Ａ及び図１５Ｂは、その結果を示す。【０１１４】
図１５Ａは、ＤＡＢのバンド３の各周波数に対する各実施例２３〜２７の感度（利得）の測定結果を示す。また、図１５Ｂは、ＤＡＢのバンド３の帯域における各実施例２３〜２７の感度（利得）の平均値を示す。上記図９Ｂと図１１Ｂとを比較すると、デフォッガに垂直線条部を５本設けた場合には、ＤＡＢ用ガラスアンテナの垂直エレメントの長さを２０ｍｍにしても、当該ＤＡＢ用ガラスアンテナの受信感度を担保できることが分かった。また、図１１Ａ及び図１１Ｂに示されるように、実施例２３〜２５に係る窓ガラスではＤＡＢ用ガラスアンテナの受信感度が特に良好であり、実施例２６に係る窓ガラスではＤＡＢ用ガラスアンテナの受信感度が若干低下した。そのため、窓ガラスの下辺からデフォッガまでの距離、換言すると、ＤＡＢ用ガラスアンテナの設置可能な垂直方向の範囲を７８．５ｍｍ以上（例えば、８０ｍｍ）にすることで、良好な受信感度のＤＡＢ用ガラスアンテナを得られることが分かった。なお、各実施例２４〜２７では、隣接する垂直線条部３３の間のピッチ及びバスター部３１とバスバー部３１に隣接する垂直線条部３３のピッチは上記実施例２３と同様である。そのため、各実施例２４〜２７では、各ピッチは上記数１のＦの整数倍に等しくはなく、デフォッガ３における定常波の発生を避けることができたものと考えられる。【０１１５】
（６）実験６：ＤＡＢ用ガラスアンテナを窓ガラスの上辺側に配置したケース
次に、本実験６では、図１６に例示されるように、ＤＡＢ用ガラスアンテナを窓ガラスの上辺側に配置した場合に、ＤＡＢ用ガラスアンテナにおける垂直エレメントの垂直方向の長さと水平エレメントの水平方向の長さとを変更することによる当該ＤＡＢ用ガラスアンテナの受信性能への影響を調べた。図１６は、本実験６におけるＬ字型のアンテナを構成する各参考例２〜６に係る窓ガラスを模式的に例示する。なお、本実験６は上記実験２に類似する。【０１１６】
まず、上記実験１の比較例１における垂直エレメント５２の長さＬ３を２４０ｍｍとし、アース線条部５５の水平方向の長さを３１０ｍｍとすることで、当該比較例１と同様の構成を有する参考例１に係る窓ガラスを得た。すなわち、参考例１に係るＤＡＢ用ガラスアンテナ５では、水平エレメント５３の長さＬ４は０ｍｍである。【０１１７】
そして、参考例１の垂直エレメント５２の長さＬ３を短くし、水平エレメント５３の長さＬ４を長くすることで、参考例２〜６の窓ガラスを得た。参考例２〜６に係るＤＡＢ用ガラスアンテナ５ではそれぞれ、垂直エレメント５２の長さＬ３を１００ｍｍ、８０ｍｍ、６０ｍｍ、４０ｍｍ及び２０ｍｍとし、水平エレメント５３の長さＬ４を１３０ｍｍ、１５０ｍｍ、１７０ｍｍ、１９０ｍｍ及び２１０ｍｍとした。すなわち、参考例２〜６では、垂直エレメント５２及び水平エレメント５３によりＬ字型のアンテナを構成した。各参考例２〜６について、上記各実験と同様の方法で、各ＤＡＢ用ガラスアンテナの感度を測定した。図１７Ａ及び図１７Ｂは、その結果を示す。【０１１８】
図１７Ａは、ＤＡＢのバンド３の各周波数に対する各参考例１〜６の感度（利得）の測定結果を示す。また、図１７Ｂは、ＤＡＢのバンド３の帯域における各参考例１〜６の感度（利得）の平均値を示す。図１７Ａ及び図１７Ｂに示されるように、ＤＡＢ用ガラスアンテナを窓ガラスの上辺側に配置した場合であっても、垂直エレメントの長さＬ３を短くするのに応じて、ＤＡＢ用ガラスアンテナの受信性能が低下することが分かった。特に、上記実験２と同様に、ＤＡＢ（特に、バンド３）の放送を受信するのに耐えうる受信性能を担保するためには、垂直エレメントの長さを２０ｍｍ以上にした方がよいことが分かった。【０１１９】
（７）実験７：窓ガラスの上辺側に配置したＤＡＢ用ガラスアンテナとデフォッガとの距離
次に、本実験７では、図１８に例示されるように、垂直線条部の設けていないデフォッガと窓ガラスの上辺側に設けたＤＡＢ用ガラスアンテナとの間の距離Ｄ２を変更することによる当該ＤＡＢ用ガラスアンテナの受信性能への影響を調べた。図１８は、本実験７における２本の熱線部３２が設けられる参考例７に係る窓ガラスを模式的に例示する。なお、本実験７は上記実験３に類似する。【０１２０】
まず、上記実験６の参考例２に係る窓ガラスに２本の熱線部３２を有するデフォッガ３Ｂを追加することで、参考例７に係る窓ガラスを得た。参考例７に係る窓ガラスでは、２本の熱線部３２の間隔は３２．５ｍｍとした。このとき、参考例７に係る窓ガラスでは、デフォッガ３ＢとＤＡＢ用ガラスアンテナ５との距離Ｄ２は２４７．５ｍｍであった。そして、図１８に例示されるように、この参考例７に係るデフォッガ３Ｂの熱線部３２を上方に３２．５ｍｍピッチで増やしていくことで、参考例８〜１２に係る窓ガラスを得た。すなわち、参考例８〜１２に係る窓ガラスではそれぞれ、３〜７本の熱線部３２をそれぞれ有するデフォッガ３Ｂが形成され、デフォッガ３ＢとＤＡＢ用ガラスアンテナ５との距離Ｄ２はそれぞれ２１５ｍｍ、１８２．５ｍｍ、１５０ｍｍ、１１７．５ｍｍ及び８５ｍｍであった。各参考例７〜１２について、上記各実験と同様の方法で、各ＤＡＢ用ガラスアンテナの感度を測定した。図１９Ａ及び図１９Ｂは、その結果を示す。【０１２１】
図１９Ａは、ＤＡＢのバンド３の各周波数に対する各参考例７〜１２の感度（利得）の測定結果を示す。また、図１９Ｂは、ＤＡＢのバンド３の帯域における各参考例７〜１２の感度（利得）の平均値を示す。図１９Ａ及び図１９Ｂに示されるように、ＤＡＢ用ガラスアンテナの受信性能は、参考例７〜１０の間では大きな変化はなく、参考例１１及び１２で若干低下した。図１９Ａを参照すると、参考例１１では、周波数１８０ＭＨｚ付近及び２４０ＭＨｚ付近でＤＡＢ用ガラスアンテナの感度が低下していた。また、参考例１２では、周波数１８０ＭＨｚ〜２００ＭＨｚの範囲でＤＡＢ用ガラスアンテナの感度が大きく低下していた。【０１２２】
そのため、ＤＡＢ用ガラスアンテナを窓ガラスの上辺側に配置した場合には、デフォッガをＤＡＢ用ガラスアンテナから８５ｍｍ未満の範囲に近付けると、デフォッガが干渉することによって当該ＤＡＢ用ガラスアンテナの感度が低くなることが分かった。したがって、上記実験３と本実験７とを比較することで、ＤＡＢ用ガラスアンテナの信号の受信にデフォッガが干渉しないように設けるデフォッガとＤＡＢ用ガラスアンテナとの間の距離は、ＤＡＢ用ガラスアンテナを窓ガラスの下辺側に配置した方が窓ガラスの上辺側に配置するよりも短くて済むことが分かった。つまり、これらの結果により、ＤＡＢ用ガラスアンテナを窓ガラスの上辺側に配置するよりも下辺側に配置した方が、ＤＡＢ用ガラスアンテナの設置範囲が垂直方向に短くて済み、かつ、受信性能を向上させることができることが示された。【０１２３】
（８）実験８：ＤＡＢ用ガラスアンテナを窓ガラスの上辺側に設けた場合における垂直線条部の影響
次に、本実験８では、図２０に例示されるように、ＤＡＢ用ガラスアンテナを窓ガラスの上辺側に配置した場合に、垂直線条部を設けることによるＤＡＢ用ガラスアンテナの受信性能への影響を調べた。図２０は、５本の垂直線条部３３が設けられる参考例１８及び１９に係る窓ガラスを例示する。なお、本実験８は上記実験４に類似する。【０１２４】
まず、デフォッガが設けられておらず、直線状のアンテナが構成された上記実験６の参考例１を用意した。また、デフォッガが設けられておらず、Ｌ字型のアンテナが構成された上記実験６の参考例３を用意した。更に、上記実験７の参考例１２に係るデフォッガ３Ｂとほぼ同様のデフォッガを参考例３に係る窓ガラスに設けることで、垂直線条部が設けられていない参考例１３に係る窓ガラスを用意した。具体的には、参考例１３に係る窓ガラスのデフォッガには、参考例１２に係るデフォッガ３Ｂの最上位に熱線部３２を２０ｍｍピッチで１本追加した。そのため、参考例１３に係る窓ガラスでは、上記参考例１２と同様に、デフォッガ３ＢとＤＡＢ用ガラスアンテナ５との間の距離Ｄ２は８５ｍｍであった。なお、この参考例１３に係るデフォッガ３Ｂのバスバー部３１間の長さは、上記実施例１３と同様に、上端付近で９００ｍｍであり、下端付近で９７０ｍｍであった。【０１２５】
そして、図２０に例示されるように、この参考例１３に係るデフォッガ３Ｂに垂直線条部３３を設けることで、参考例１４〜１９に係る窓ガラスを得た。具体的に、参考例１４に係る窓ガラスでは、左右方向の中央にのみ垂直線条部３３を設けた。すなわち、参考例１４に係る窓ガラスでは、合計１本の垂直線条部３３を設けた。【０１２６】
また、参考例１５〜１７に係る窓ガラスではそれぞれ、左右方向の中央に１本の垂直線条部３３を設け、当該１本の垂直線条部３３を中心として左右方向にそれぞれ１本の垂直線条部３３を左右対称に配置した。すなわち、参考例１５〜１７に係る窓ガラスではそれぞれ、合計３本の垂直線条部３３を設けた。なお、参考例１５〜１７に係る窓ガラスではそれぞれ、左右方向に配置した各垂直線条部３３と中央に配置した垂直線条部３３との間の距離Ｗ３は１００ｍｍ、２００ｍｍ及び３００ｍｍとした。【０１２７】
更に、参考例１８及び１９に係る窓ガラスではそれぞれ、左右方向の中央に１本の垂直線条部３３を設け、当該１本の垂直線条部３３を中心として左右方向にそれぞれ２本の垂直線条部３３を左右対称に配置した。すなわち、参考例１８及び１９に係る窓ガラスではそれぞれ、合計５本の垂直線条部３３を設けた。なお、参考例１８及び１９に係る窓ガラスではそれぞれ、左右方向内側に配置した各垂直線条部３３と中央に配置した垂直線条部３３との間の距離Ｗ３は１００ｍｍ及び２００ｍｍとした。また、参考例１８及び１９に係る窓ガラスでは共に、左右方向外側に配置した各垂直線条部３３と中央に配置した垂直線条部３３との間の距離Ｗ４は３００ｍｍとした。各参考例１、３及び１３〜１９について、上記各実験と同様の方法で、各ＤＡＢ用ガラスアンテナの感度を測定した。図２１Ａ及び図２１Ｂは、その結果を示す。【０１２８】
図２１Ａは、ＤＡＢのバンド３の各周波数に対する各参考例３及び１３〜１９の感度（利得）の測定結果を示す。また、図２１Ｂは、ＤＡＢのバンド３の帯域における各参考例１、３及び１３〜１９の感度（利得）の平均値を示す。図２１Ａ及び図２１Ｂに示されるように、デフォッガに垂直線条部を設けた参考例１５〜１９において、ＤＡＢ用ガラスアンテナの受信性能（感度）が改善されていた。特に、デフォッガに垂直線条部を５本設けた参考例１８及び１９では、ＤＡＢ用ガラスアンテナの受信性能（感度）が良好に改善されていた。【０１２９】
ここで、上記実験１、６及び７によれば、ＤＡＢ用ガラスアンテナを窓ガラスの上辺側に配置した場合には、ＤＡＢの放送の受信性能が悪化し、かつ、デフォッガによる影響が受けやすくなることが示されている。これに対して、参考例１５〜１９は、上記実験７の参考例１２におけるデフォッガに１又は複数の垂直線条部を追加した形態に類似する。すなわち、参考例１５〜１９は、ＤＡＢ用ガラスアンテナを窓ガラスの上辺側に配置し、かつ、上記実験７においてＤＡＢ用ガラスアンテナの受信性能を悪化させる範囲にデフォッガを配置した形態である。それにも関わらず、参考例１５〜１９では、ＤＡＢ用ガラスアンテナの感度が改善され、デフォッガを設けない参考例１よりも良好な受信性能が得られた。したがって、本実験８から、ＤＡＢ用ガラスアンテナを窓ガラスの上辺側に配置し、かつ、上記実験７においてＤＡＢ用ガラスアンテナの受信性能を悪化させる範囲にデフォッガを配置しても、当該デフォッガに垂直線条部（特に、複数本の垂直線条部）を設けることで、当該ＤＡＢ用ガラスアンテナの受信性能を改善できることが分かった。よって、垂直線条部をデフォッガに設ける場合には、特に、複数本の垂直線条部をデフォッガに設ける場合には、ＤＡＢ用ガラスアンテナを窓ガラスの上辺側に配置しても、当該ＤＡＢ用ガラスアンテナの受信性能を改善できることが示された。【０１３０】
更に、上記参考例１３では、垂直線条部が設けられていないため、バスバー部３１間のピッチは、０．９ｍ〜０．９７ｍ（９００ｍｍ〜９７０ｍｍ）となっており、ＤＡＢのバンド３を想定して上記数１より導出される上記Ｆ（０．４４ｍ〜０．６２ｍ）の２倍の範囲に含まれていた。同様に、上記参考例１４では、左右方向中央に１本の垂直線条部３３が設けられているため、各パスバー部３１と垂直線条部３３との間のピッチは０．４５ｍ〜０．４８５ｍ（４５０ｍｍ〜４８５ｍｍ）であった。つまり、参考例１４では、各パスバー部３１と垂直線条部３３との間のピッチは、ＤＡＢのバンド３を想定して上記数１より導出される上記Ｆ（０．４４ｍ〜０．６２ｍ）の範囲に含まれていた。これに対して、参考例１５〜１９では、上記のとおり各垂直線条部３３を配置したため、バスバー部３１とバスバー部３１に隣接する垂直線条部３３との間のピッチ、及び隣接する垂直線条部３３の間のピッチがそれぞれ上記Ｆの整数倍になっていなかった。【０１３１】
したがって、参考例１３及び１４で、ＤＡＢ用ガラスアンテナの受信性能が参考例１５〜１９に比べて低くなる周波数帯域が存在するのは、デフォッガに電波の定常波が発生してしまったためと想定された。加えて、このことから、上記実験４と同様に、上記数１によれば、デフォッガ３に定常波が発生することでＤＡＢ用ガラスアンテナの受信性能の低下する条件を導ける、すなわち、デフォッガに電波の定常波が発生するか否かの予測が可能であることが分かった。【０１３２】
（９）実験９：垂直線条部の影響のシミュレーション
上記実験４の実施例２１では、１本の垂直線条部をデフォッガに設けたにも関わらず、垂直線条部をデフォッガに設けなかった実施例２０Ａよりも、１７０ＭＨｚ近辺で電波の受信性能が低下した。この原因を探るべく、本実験９では、垂直線条部を有するデフォッガを設けた窓ガラスでどのような電流分布が生じているかを調べた。【０１３３】
まず、図２２に例示されるように、デフォッガ３Ｃに１本の垂直線条部３３を設けた参考例２０を設定した。参考例２０に係る各構成要素の条件は以下のとおりである。
・ガラス板２の上辺部の長さ：１０３０ｍｍ
・ガラス板２の下辺部の長さ：１２００ｍｍ
・ガラス板２の上下方向の高さ：６００ｍｍ
・ガラス板２の取付角度：垂直方向に対して２０度傾斜
・熱線部３２の本数：１２本
・熱線部３２のピッチ：２４ｍｍ
・デフォッガ３Ｃの水平方向の長さ（熱線部３２の長さ）：１１００ｍｍ
・垂直線条部３３の本数：１本
・垂直線条部３３の位置：中央
・垂直エレメント５２の長さ：１６０ｍｍ
・水平エレメント５３の長さ：２００ｍｍ
・ＤＡＢ用ガラスアンテナ５とデフォッガ３Ｃとの距離Ｄ２：１０ｍｍ
・デフォッガ３Ｃの線幅：１ｍｍ
・ＤＡＢ用ガラスアンテナ５の線幅：１ｍｍ
なお、ＤＡＢ用ガラスアンテナ５をガラス板２の中央から右側に４００ｍｍの位置に配置した。【０１３４】
また、参考例２０に更に２本の垂直線条部３３を追加した参考例２１を設定した。当該２本の垂直線条部３３は、中央に配置した垂直線条部３３の両側に３００ピッチｍｍ離れた位置に配置した。【０１３５】
そして、このようにして設定した各参考例（２０、２１）の窓ガラスについて、タイムドメインの３次元電磁界解析ソフトウェアを用いて、以下のとおり、上記実験１〜８と同様の条件でＤＡＢのバンド３の電波を放射したシミュレーションを行った。
・角度分解能：角度３度毎にワゴン車を３６０度回転させて測定
・周波数分解能：１７４ＭＨｚ〜２４０ＭＨｚの範囲で１ＭＨｚ毎に測定
・電波の発信位置とアンテナとの仰角：１．７度（地面と水平方向を０度、天頂方向を９０度とする）
図２３Ａ、図２３Ｂ、図２４Ａ、図２４Ｂ及び図２５はその結果を示す。【０１３６】
図２３Ａ及び図２３Ｂは、参考例２０における電流分布を示す。具体的には、図２３Ａは、１７０ＭＨｚの電波を参考例２０に放射した時の電流分布を示す。また、図２３Ｂは、２４０ＭＨｚの電波を参考例２０に放射した時の電流分布を示す。一方、図２４Ａ及び図２４Ｂは、参考例２１における電流分布を示す。具体的には、図２４Ａは、１７０ＭＨｚの電波を参考例２１に放射した時の電流分布を示す。また、図２４Ｂは、２４０ＭＨｚの電波を参考例２１に放射した時の電流分布を示す。更に、図２５は、各周波数に対する各参考例（２０、２１）の感度（利得）のシミュレーション結果を示す。【０１３７】
図２３Ａに示されるとおり、１本の垂直線条部３３を設けた参考例２０に１７０ＭＨｚの電波を放射した際には、当該参考例２０のデフォッガにおいて当該電波の定常波が発生した。一方、図２３Ｂに示されるとおり、２４０ＭＨｚの電波を放射した際には、参考例２０のデフォッガにはこのような定常波が発生しなかった。また、図２４Ａ及び図２４Ｂに示されるとおり、３本の垂直線条部３３を設けた参考例２１では、１７０ＭＨｚ及び２４０ＭＨｚの電波を放射しても、当該電波の定常波は発生しなかった。【０１３８】
ここで、図２５を参照すると、参考例２０では、定常波の発生した１７０ＭＨｚ付近で感度が低下した。一方、定常波の発生しなかった周波数帯（例えば、２４０ＭＨｚ）では、参考例２０及び２１の感度はそれぞれ同程度であった。すなわち、本実験９より、垂直線条部の配置によっては、デフォッガに電波の定常波が発生してしまい、これによって、ＤＡＢ用ガラスアンテナの受信性能が低下することが分かった。したがって、本実験９より、ＤＡＢ用ガラスアンテナの受信性能を低下させないためには、ＤＡＢの周波数帯において、このような定常波が発生しないように垂直線条部を配置したほうがよいことが示された。【０１３９】
具体的に、参考例２０では、各バスバー部３１と垂直線条部３３との間のピッチは、０．５５ｍ（５５０ｍｍ）となっており、ＤＡＢのバンド３を想定した上記０．４４ｍ〜０．６２ｍの範囲に含まれる。一方、参考例２１では、バスバー部と垂直線条部との間に挟まれた部分、及び隣接する垂直線条部の間に挟まれた部分の距離はそれぞれ、２５０ｍｍ及び３００ｍｍであり、上記数１のＦの整数倍と等しくなっていなかった。そして、参考例２１では、上記のとおり、デフォッガに電波の定常波が発生しなかった。そのため、上記数１によれば、デフォッガに電波の定常波が発生するか否かの予測が可能であることが分かった。すなわち、バスバー部と垂直線条部との間に挟まれた部分、及び隣接する垂直線条部の間に挟まれた部分の距離が、上記数１のＦの整数倍と等しくならないように垂直線条部を配置することで、ＤＡＢ用ガラスアンテナの受信性能の低下を防ぐことができることが分かった。なお、この受信性能の低下は、デフォッガにＤＡＢの電波がトラップされることによるものと推測される。つまり、デフォッガがその周波数帯の電波を受信しやすい状態になり、これによって、ＤＡＢ用ガラスアンテナによる電波の受信が妨害されるものと推測される。【０１４０】
（１０）実験１０：その他の形態の受信性能
本実験１０では、図３Ｃで例示した形態のＤＡＢ用ガラスアンテナの受信性能を調べるため、図２６で示される実施例（２８、２９）を用意した。実施例（２８、２９）に係る構成要素の条件は以下のとおりである。
・ガラス板２の上辺部の長さ：１１８０ｍｍ
・ガラス板２の上下方向の高さ：３４０ｍｍ
・熱線部３２の本数：９本
・熱線部３２のピッチ：２７ｍｍ（最下部のみ２３ｍｍ）
・最下部の熱線部３２の長さ：１０７２ｍｍ
・垂直線条部３３の本数：３本。
・バスバー部３１と垂直線条部３３との間の距離（最上部）：２６０ｍｍ
・中央の垂直線条部３３と右側（左側）の垂直線条部３３との間の距離：２００ｍｍ
・デフォッガ３の上下方向の高さ：２１２ｍｍ
・水平エレメント４３Ｄの長さ：１５０ｍｍ
・アース線条部４５Ｄの長さ：４８５ｍｍ
なお、実施例２８の窓ガラスでは、垂直エレメント４３Ｄの長さを５０ｍｍとし、ＤＡＢ用ガラスアンテナ４Ｄとデフォッガ３との間の距離Ｄ１を５ｍｍとした。一方、実施例２９の窓ガラスでは、垂直エレメント４３Ｄの長さを３０ｍｍとし、ＤＡＢ用ガラスアンテナ４Ｄとデフォッガ３との間の距離Ｄ１を２５ｍｍとした。そして、実施例（２８、２９）について、以下の２点の条件を除き上記実験１等と同様の方法で、各ＤＡＢ用ガラスアンテナの感度を測定した。
・ガラス板の取付角度：水平方向に対して、上下方向の下辺の点で４５度傾斜、上下方向
の中央の点で４１度傾斜、上下方向の上辺の点で３７度傾斜
・周波数分解能：１７４ＭＨｚ〜２４０ＭＨｚの範囲で３ＭＨｚ毎に測定【０１４１】
図２７は、ＤＡＢのバンド３の各周波数に対する各実施例（２８、２９）の感度（利得）の測定結果を示す。ガラス板が垂直から傾いているケース及び垂直エレメントの長さが短いケース（上記実験２）では、ＤＡＢ用ガラスアンテナの受信性能は大きく低下し得る。しかしながら、各実施例（２８、２９）では、ガラス板が比較的に垂直から傾いており、かつ垂直エレメント４３Ｄの長さが比較的に短いにも関わらず、ある程度の受信性能を担保することができた。これは、ＤＡＢ用ガラスアンテナを窓ガラスの下辺側に配置したこと、バスバー部と垂直線条部との間及び隣接する垂直線条部の間のピッチを上記数１のＦの整数倍と等しくならないようにしたこと等に起因しているものと想定される。つまり、本発明の各特徴によれば、ＤＡＢ用ガラスアンテナの設置条件が悪い場合でも、ある程度の受信性能を確保することができることが分かった。
【符号の説明】
【０１４２】
１…窓ガラス、
２…ガラス板、２１…上辺部、２２…下辺部、２３…左側辺部、２４…右側辺部、
３…デフォッガ、３１…バスバー部、３２…熱線部、３３…垂直線条部、
３４…接続部、
４…ＤＡＢ用ガラスアンテナ、４１…給電部、
４２…垂直エレメント（第１エレメント）、
４３…水平エレメント（第２エレメント）、
４４…アース接続部、４５…アース線条部、
５…ＤＡＢ用ガラスアンテナ、５１…給電部、
５２…垂直エレメント、５３…水平エレメント、
５４…アース接続部、５５…アース線条部
【図１】
2016190064.tif 000004
【図２】
2016190064.tif 000005
【図３Ａ】
2016190064.tif 000006
【図３Ｂ】
2016190064.tif 000007
【図３Ｃ】
2016190064.tif 000008
【図３Ｄ】
2016190064.tif 000009
【図４】
2016190064.tif 000010
【図５Ａ】
2016190064.tif 000011
【図５Ｂ】
2016190064.tif 000012
【図６Ａ】
2016190064.tif 000013
【図６Ｂ】
2016190064.tif 000014
【図７Ａ】
2016190064.tif 000015
【図７Ｂ】
2016190064.tif 000016
【図８】
2016190064.tif 000017
【図９Ａ】
2016190064.tif 000018
【図９Ｂ】
2016190064.tif 000019
【図１０】
2016190064.tif 000020
【図１１Ａ】
2016190064.tif 000021
【図１１Ｂ】
2016190064.tif 000022
【図１２】
2016190064.tif 000023
【図１３Ａ】
2016190064.tif 000024
【図１３Ｂ】
2016190064.tif 000025
【図１４】
2016190064.tif 000026
【図１５Ａ】
2016190064.tif 000027
【図１５Ｂ】
2016190064.tif 000028
【図１６】
2016190064.tif 000029
【図１７Ａ】
2016190064.tif 000030
【図１７Ｂ】
2016190064.tif 000031
【図１８】
2016190064.tif 000032
【図１９Ａ】
2016190064.tif 000033
【図１９Ｂ】
2016190064.tif 000034
【図２０】
2016190064.tif 000035
【図２１Ａ】
2016190064.tif 000036
【図２１Ｂ】
2016190064.tif 000037
【図２２】
2016190064.tif 000038
【図２３Ａ】
2016190064.tif 000039
【図２３Ｂ】
2016190064.tif 000040
【図２４Ａ】
2016190064.tif 000041
【図２４Ｂ】
2016190064.tif 000042
【図２５】
2016190064.tif 000043
【図２６】
2016190064.tif 000044
【図２７】
2016190064.tif 000045
【国際調査報告】
2016190064.tif 000046
2016190064.tif 000047
2016190064.tif 000048
2016190064.tif 000049